(57)【特許請求の範囲】
【請求項１】
ユーザの身体の動きを測定するための測定システムであって、
制御部と、ユーザの上半身および下半身を含む全身を測定するための測定部とを備え、
前記制御部が、
前記測定部に対し所定の位置関係となり、前記測定部による測定が可能な第１の位置にユーザの両足が置かれていることを前記測定部により測定し、
前記第１の位置に前記両足を置いた状態から、第２の位置へと前記ユーザが当該足を踏み出す動作を前記測定部により測定し、
前記第１の位置から前記第２の位置へと前記ユーザが足を踏み出す動作の前記測定の結果に基づいて、ユーザの下半身の関節を含む関節の可動域を評価する、測定システム。
【請求項２】
前記第２の位置は、前記第１の位置から、前記ユーザの歩幅に関する情報に基づき規定される位置にある、請求項１に記載の測定システム。
【請求項３】
前記第１の位置に、前記ユーザの両足を置く初期位置となる模様を配置するように構成されている、請求項２に記載の測定システム。
【請求項４】
さらに、前記第１の位置となる模様を配したマットを備え、前記マットを、前記測定部に対し所定の位置関係に配置する、請求項３に記載の測定システム。
【請求項５】
前記マットにおいて、前記第２の位置を示す模様を複数含み、前記第２の位置を示す模様それぞれは、複数の前記ユーザの歩幅に関する情報と関連付けて配されている、請求項４に記載の測定システム。
【請求項６】
前記ユーザの歩幅に関する情報は、身長の情報であり、
前記マットにおいて、少なくとも、第１の身長の情報と、第２の身長の情報とが配されており、
当該第１の身長の情報と関連付けて、当該第１の身長に対応する第２の位置の模様を配しており、
当該第２の身長の情報と関連付けて、当該第２の身長に対応する第２の位置の模様を配している、請求項５に記載の測定システム。
【請求項７】
前記制御部は、前記ユーザに対し、前記第１の位置に両足を置くよう促す通知をする、請求項１から６に記載の測定システム。
【請求項８】
前記制御部は、前記ユーザが前記第１の位置に両足を置いたことを前記測定部により測定し、当該測定に応答して、前記ユーザに対し、前記第１の位置から前記第２の位置へと前記ユーザの足を踏み出す動作をするよう促す通知をする、請求項７に記載の測定システム。
【請求項９】
さらに、前記第１の位置と関連付けて配置される、少なくとも１つの立体物を備え、
前記制御部は、前記ユーザに対し、前記第１の位置に両足を置いた状態で上半身をねじることで前記立体物に前記ユーザの上肢で接触するよう促す通知をし、
前記上半身をねじる動作を前記測定部により測定し、
前記上半身をねじる動作の測定結果に基づいて、前記ユーザの関節可動域を評価する、請求項１から８のいずれかに記載の測定システム。
【請求項１０】
前記ユーザの関節可動域の評価結果を、前記ユーザの情報と関連付けて記憶部に記憶させ、前記評価結果を前記ユーザに通知する、請求項１から９のいずれかに記載の測定システム。
【請求項１１】
ユーザの身体の動きを測定するための測定システムにおいて制御部を動作させるプログラムであって、
前記測定システムは、制御部と、ユーザの上半身および下半身を含む全身を測定するための測定部とを備え、
前記プログラムは、前記制御部に、
前記測定部に対し所定の位置関係となり、前記測定部による測定が可能な第１の位置にユーザの両足が置かれていることを前記測定部により測定し、
前記第１の位置に前記両足を置いた状態から、第２の位置へと前記ユーザが当該足を踏み出す動作を前記測定部により測定し、
前記第１の位置から前記第２の位置へと前記ユーザが足を踏み出す動作の前記測定の結果に基づいて、ユーザの下半身の関節の可動域を評価することを行わせる、プログラム。
【発明の詳細な説明】
【技術分野】
【０００１】
本開示は、測定システム、方法、プログラムに関する。
【背景技術】
【０００２】
ヒトの平均寿命が伸びていき、高齢化していくことが見込まれている。ヒトが健康を維持していくことがますます重要となっている。健康を維持していくうえで、歩行姿勢を整えることにより、身体の機能を十分に発揮させた状態で動作させることができる。また、歩行姿勢を整えることにより、身体に過度な負担をかけることなく歩行することができ、ヒトが疲労を蓄積させてしまうことも抑止し得る。
【０００３】
また、歩行姿勢を整えることにより、「美しく歩く」ような印象を与え得る。つまり、身体の機能を発揮できるよう、不要な動作をなるべくしないようにすることで、美しさを感じさせる歩行姿勢ともなり得る。
【０００４】
そこで、歩行姿勢を整え、美しくしていくトレーニングを提供することが考えられる。当該トレーニングをするにあたり、身体の関節の可動域を測定することも重要である。すなわち、ヒトが歩行をする際の姿勢を評価するにあたり、前提として、身体の関節がどの程度可動するのか（関節可動域）を測定することも重要である。
【０００５】
関節の可動域を測定することは、従来、リハビリテーションの分野で行われている。当該測定をするために、被験者の身体に角度計を当てて、関節が稼働する角度を計測している。特開２０１８―９４００９号公報（特許文献１）には、角度計を用いて測定をすることが煩雑であるとして、スマートフォンを用いて、ベッド上の仰臥位の測定対象者を側面から撮像することと、これにより肘関節の可動域角度を撮影画像に基づき測定することとが記載されている。
【先行技術文献】
【特許文献】
【０００６】
【特許文献１】特開２０１８―９４００９号公報
【発明の概要】
【発明が解決しようとする課題】
【０００７】
しかし、特許文献１の技術では、ベッドで横たわっている測定対象者を側面から撮影することにより、肘の関節の可動域を測定することに留まっている。歩行動作はユーザの全身を動作させることを伴うため、ユーザの歩行姿勢を評価するうえでは、肘の関節に限らず、歩行動作に伴い可動する各関節の可動域を測定することが重要となる。
【０００８】
そこで、本開示において、ユーザの全身の各関節のしなやかさを評価するための技術を提供する。
【課題を解決するための手段】
【０００９】
一実施形態によると、ユーザの身体の動きを測定するための測定システムであって、制御部と、ユーザの上半身および下半身を含む全身を測定するための測定部とを備え、制御部が、測定部に対し所定の位置関係となり、測定部による測定が可能な第１の位置にユーザの両足が置かれていることを測定部により測定し、第１の位置に両足を置いた状態から、第２の位置へとユーザが当該足を踏み出す動作を測定部により測定し、第１の位置から第２の位置へとユーザが足を踏み出す動作の測定の結果に基づいて、ユーザの下半身の関節を含む関節の可動域を評価する。
【発明の効果】
【００１０】
本開示によれば、ユーザの全身の各関節の可動域を測定することがよりいっそう容易になる。
【図面の簡単な説明】
【００１１】
【図１】測定システム１の全体の構成を示す図である。
【図２】実施の形態１の測定システム１を構成する端末装置１０のブロック図である。
【図３】サーバ２０の機能的な構成を示す図である。
【図４】サーバ２０が記憶するユーザ情報データベース２８１、測定項目情報２８２、測定履歴データベース２８３、フレンドリスト２８４のデータ構造を示す図である。
【図５】測定システム１により、ユーザが身体の動きを測定する局面を示す。
【図６】マット３２の詳細を示す図である。
【図７】端末装置１０がＲＯＭチェックを行って測定履歴を更新する処理を示すフローチャートである。
【図８】端末装置１０が、ユーザが足を踏み出す動作を測定することで関節可動域を評価する処理を示すフローチャートである。
【図９】端末装置１０が、ユーザが上体をひねる動作を測定することで関節可動域を評価する処理を示すフローチャートである。
【図１０】ユーザの身体の動きを測定する局面における、端末装置１０の通知内容の例を示す図である。
【図１１】第２の実施の形態における測定システム１により、ユーザが歩行する動作を測定する局面を示す。
【図１２】測定装置３１の測定結果に基づいて、端末装置１０が特定するユーザの身体の各部位を示す。
【図１３】第２の実施の形態におけるサーバ２０が記憶する測定結果データベース２８７、評価結果データベース２８８のデータ構造を示す図である。
【図１４】第２の実施の形態において端末装置１０がユーザの歩行動作を測定し、評価する処理を示すフローチャートである。
【図１５】第２の実施の形態において端末装置１０がユーザの歩行動作を測定する測定結果、および、測定結果に基づきユーザの歩行動作を評価した評価結果を出力する場合の出力例を示す図である。
【図１６】第２の実施の形態において端末装置１０がユーザの歩行動作を測定する測定結果、および、測定結果に基づきユーザの歩行動作を評価した評価結果を出力する場合の出力例を示す図である。
【図１７】端末装置１０が、ユーザの歩行動作におけるひざの負担の評価結果を出力する例を示す図である。図１４のステップＳ１４０９に対応する。
【図１８】第３の実施の形態において端末装置１０がユーザの体幹のバランスを測定し、評価する処理を示すフローチャートである。
【図１９】第３の実施の形態において端末装置１０がユーザの体幹のバランスを測定する測定結果、および、体幹のバランスの評価結果を出力する例を示す図である。
【図２０】第３の実施の形態におけるサーバ２０が記憶する各種データのデータ構造を示す図である。
【図２１】端末装置１０が、ユーザの身体の動作の測定結果および評価結果に基づいて、ユーザの身体に起こり得る悩みを提示し、当該悩みに対応するエクササイズメニューを提案する局面の画面例である。
【発明を実施するための形態】
【００１２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１３】
＜第１の実施の形態＞
＜概要＞
以下の実施形態では、ユーザの身体のバランス、ユーザの身体の動きを測定することにより、ユーザの身体のしなやかさを評価して、美しい姿勢（例えば、美しい歩行姿勢）を体得できるようエクササイズメニューを提供するための測定システム１について説明する。
【００１４】
ユーザの歩行姿勢が整っていない場合、歩行動作には必ずしも必要ではない動作をすることとなるため、ユーザの力が不要に消費されてしまうことになり、疲労が蓄積しやすくなる。ユーザの歩行姿勢を美しくすることで、ユーザが身体を機能的に動かすことができ、結果として、疲労の少ない歩き方となり得る。そこで、測定システム１では、（１）ユーザの歩行時の動作を測定して、歩行姿勢を評価する（美しく、バランスよく歩くことができているかを評価する）ことと、（２）ユーザの各関節のしなやかさを測定して、関節可動域を評価するROMチェックをすること（ROM：Range of motion）と、（３）ユーザの筋力の状態を評価してトレーニングメニューを提供することとを行う。
【００１５】
ユーザがバランスよく歩けている場合（身体の左右の動かし方で偏りがない、歩行動作時の筋肉の動きが理想的である等）、身体の動かし方が機能的となる。ここで、機能的な動かし方とは、ユーザが不要な力を消費することなく、歩くために筋肉を動かせていることをいう。つまり、ユーザが筋肉を動かして歩行のための推進力を得ることとなるが、筋肉の動きが高い効率で推進力につながることをいう。その結果、ユーザが美しく歩いている印象を与えることができる。このようなバランスのよい歩き方をユーザが体得できるようにするにあたり、関節可動域を評価することが有効であり、測定システム１では、関節可動域の評価とともに、これら関節可動域の評価結果を前提としつつ歩行姿勢を美しく見せるために必要な筋肉のトレーニングをもユーザに提供する。
【００１６】
以上のように、測定システム１は、ユーザの身体の動きの測定（チェック）と、ユーザの身体を動かすためのエクササイズとを提供する。
【００１７】
測定システム１は、例えば、事業会社の事業所、商業施設の施設内、店舗スペース、スタジオ、個人の家庭内等に設置され得る。例えば、事業会社が、従業員の健康管理をよりいっそう促すため、測定システム１を導入することがあり得る。また、商業施設の店舗において、測定システム１を展開することにより、健康管理サービスを消費者に向けて提供することがあり得る。
【００１８】
＜１  システム全体の構成図＞
図１は、測定システム１の全体の構成を示す図である。
【００１９】
図１に示すように、測定システム１は、ユーザの身体の動きを測定する各種センサにより構成される複数の測定ユニット（図示する例では、測定ユニット３０Ａ、３０Ｂ、３０Ｃを示している。以降、それぞれの測定ユニットを「測定ユニット３０」と記載することもある）と、測定ユニットの動作を制御する端末装置１０と、ユーザの身体の動きの測定結果を蓄積するサーバ２０とにより構成されている。
【００２０】
測定ユニット３０は、端末装置１０と、有線または無線により接続される。図示するように、１つの端末装置１０に対し、複数の測定ユニット３０を接続することとしてもよいし、測定ユニット３０それぞれに対し端末装置１０を接続する（つまり、１つの測定ユニット３０に対し１つの端末装置１０を用意してユーザの測定を行う）こととしてもよい。
【００２１】
測定ユニット３０は、測定装置（図示する例では、測定装置３１Ａ、３１Ｂ、３１Ｃを示している。これらを総称して「測定装置３１」と記載することもある）と、マット（図示する例では、マット３２Ａ、３２Ｂ、３２Ｃを示している。これらを総称して「マット３２」と記載することもある）と、立体物であるポール（図示する例では、ポール３３Ａ、３３Ｂ、３３Ｃを示している。これらを総称して「ポール３３」と記載することもある）とを含む。
【００２２】
測定装置３１は、ユーザの身体の動きを測定するためのものであり、例えば、ＲＧＢ−Ｄカメラ（深度センサ）により、測定対象物までの距離と方向とを検出する。測定装置３１は、この他に、マイクロフォンアレイなどを備え、ユーザの音声、当該音声が到来する方向などを検出することとしてもよい。例えば、測定装置３１は、Kinect（登録商標）のように、ユーザのジェスチャー、音声認識による操作を受け付けることが可能なデバイスであるとしてもよい。測定装置３１は、ユーザの身体を検出することにより、ユーザの位置、ユーザの身体の各関節の位置を検出する。これにより、測定装置３１は、ユーザを構成する各関節を仮想的に接続した仮想的な骨（ボーン）を設定して、ユーザの身体の動きを計測する。また、測定装置３１は、Kinect（登録商標）の他に、スマートフォン等の端末であるとしてもよい。例えば、スマートフォンに深度カメラが設けられている場合、当該スマートフォンにより、ユーザの身体を、点群データ（ポイントクラウドデータ）として取得することができる。
【００２３】
また、測定装置３１は、距離を測定する機能がなくとも、撮影画像に基づき被写体を特定すること、および、当該被写体とカメラとの距離とを推定する学習済みモデルを利用することにより、撮影画像に基づき被写体までの距離（例えば、被写体の各関節までの距離）を取得することとしてもよい。また、測定装置３１が距離を測定できない場合（ＲＧＢカメラなど）においても、撮影画像に基づき被写体の各部位を特定し、骨格（ボーン）を推定することとしてもよい。また、測定装置３１として、複数台のカメラを設け、視差のある撮影画像を得ることにより、被写体までの距離を推定することとしてもよい。
【００２４】
マット３２は、ユーザの身体の動きを測定するために、ユーザの立ち位置の目安を表示するためのものである。マット３２は、測定装置３１に対し所定の位置関係となる位置に配置する。つまり、マット３２は、測定装置３１がユーザの身体の動きを測定可能な範囲内に配置される。マット３２には、後述するように、ユーザの立ち位置を誘導するための複数の模様が含まれる。ユーザは、当該模様を視認しつつ、足の位置を調整したり、足を踏み出す動作をしたりする。
【００２５】
ポール３３は、ユーザの身体の動き、例えば、ユーザが身体をねじる動きを測定するために、マット３２とともに用いられる。ポール３３は、マット３２において、ユーザの足を置く立ち位置の目安の模様と関連付けた位置に配置する。ユーザは、マット３２に両足をつけたまま（つまり、両足の立ち位置を動かさず）、身体をねじってマット３２の両サイドに置かれる一対のポールに手で触れるよう動作する。よって、マット３２は、ユーザが身体をねじる動作をするために、腕を移動させる目標点として利用される。マット３２は、ユーザが身体をねじった際に手で把持できるよう、ユーザの身長に応じた高さに設定することとしてもよい。
【００２６】
以上のように、測定ユニット３０を構成する測定装置３１、マット３２、ポール３３の組み合わせについて説明した。以下の説明では、１のユーザが、１の測定ユニット３０を使用するものとして説明する。ただし、１つの測定装置３１により、複数のユーザの身体の動きを測定することとしてもよい。つまり、１つの測定装置３１の測定範囲において、複数のユーザが身体を動かすこととしてもよい。
【００２７】
端末装置１０とサーバ２０とは、ネットワーク８０を介して通信接続する。また、本実施形態において、各装置（端末装置、サーバ等）を情報処理装置として把握することもできる。すなわち、各装置の集合体を１つの「情報処理装置」として把握することができ、測定システム１を複数の装置の集合体として形成してもよい。１つ又は複数のハードウェアに対して本実施形態に係る測定システム１を実現することに要する複数の機能の配分の仕方は、各ハードウェアの処理能力及び／又は測定システム１に求められる仕様等に鑑みて適宜決定することができる。
【００２８】
端末装置１０は、各ユーザが操作する装置である。端末装置１０は、例えば据え置き型のＰＣ（Personal  Computer）、ラップトップＰＣであるとしてもよい。この他に、端末装置１０は、移動体通信システムに対応したスマートフォン、タブレット等の携帯端末などにより実現される。図１に端末装置１０Ｂとして示すように、端末装置１０は、通信ＩＦ（Interface）１２と、入力装置１３と、出力装置１４と、メモリ１５と、記憶部１６と、プロセッサ１９とを備える。サーバ２０は、通信ＩＦ２２と、入出力ＩＦ２３と、メモリ２５と、ストレージ２６と、プロセッサ２９とを備える。
【００２９】
端末装置１０は、ネットワーク８０を介してサーバ２０と通信可能に接続される。端末装置１０は、５Ｇ、ＬＴＥ（Long  Term  Evolution）などの通信規格、また、ＩＥＥＥ（Institute  of  Electrical  and  Electronics  Engineers）８０２．１１などの無線ＬＡＮ（Local  Area  Network）規格に対応しており、通信機器と通信することによりネットワーク８０に接続される。
【００３０】
通信ＩＦ１２は、端末装置１０が外部の装置と通信するため、信号を入出力するためのインタフェースである。入力装置１３は、ユーザからの入力操作を受け付けるための入力装置（例えば、タッチパネル、タッチパッド、マウス等のポインティングデバイス、キーボード等）である。出力装置１４は、ユーザに対し情報を提示するための出力装置（ディスプレイ、スピーカ等）である。メモリ１５は、プログラム、および、プログラム等で処理されるデータ等を一時的に記憶するためのものであり、例えばＤＲＡＭ（Dynamic  Random  Access  Memory）等の揮発性のメモリである。記憶部１６は、データを保存するための記憶装置であり、例えばフラッシュメモリ、ＨＤＤ（Hard  Disc  Drive）である。プロセッサ１９は、プログラムに記述された命令セットを実行するためのハードウェアであり、演算装置、レジスタ、周辺回路などにより構成される。
【００３１】
図示するように、端末装置１０は、測定ユニット３０と有線又は無線により接続する。測定ユニット３０がユーザの身体の動きを測定することにより、ユーザの身体のしなやかさ、関節可動域の程度を評価することができる。
【００３２】
サーバ２０は、各ユーザの情報を管理する。サーバ２０は、ユーザの情報として、各ユーザの身体の動きを測定する際に参照されるパラメータ（例えば、身長）等を管理している。
【００３３】
サーバ２０は、ユーザ間の交流を促すための処理として、具体的には、複数のユーザが健康管理のために身体を動かすこと、身体の動きを測定することを支援するため、ユーザのマッチング等を行う。また、サーバ２０は、ユーザ間のメッセージの送受信等を行う。
【００３４】
サーバ２０は、各ユーザが保有する仮想的なポイントを管理することとしてもよい。例えば、事業会社内において、各従業員が仮想的な通貨のように使用可能な、社内のポイント制度があるとする。当該ポイントは、仮想的な通貨のように、社内の購買処理に使用したり（社内の自動販売機等で決済に使用できる等）、他の社員に付与したりすることができる。例えば、ユーザが測定システム１で測定を行うことにより、サーバ２０が、当該ポイントをユーザに付与することとしてもよいし、ユーザが他のユーザとともに測定システム１で測定をすることにより（例えば、同じ場所で測定をする、同じ場所で同時に測定をする等）、当該ポイントをユーザに付与することとしてもよいし、関節可動域の評価結果が所定値を超えることで当該ポイントを付与する等してもよい。
【００３５】
通信ＩＦ２２は、サーバ２０が外部の装置と通信するため、信号を入出力するためのインタフェースである。入出力ＩＦ２３は、ユーザからの入力操作を受け付けるための入力装置、および、ユーザに対し情報を提示するための出力装置とのインタフェースとして機能する。メモリ２５は、プログラム、および、プログラム等で処理されるデータ等を一時的に記憶するためのものであり、例えばＤＲＡＭ（Dynamic  Random  Access  Memory）等の揮発性のメモリである。ストレージ２６は、データを保存するための記憶装置であり、例えばフラッシュメモリ、ＨＤＤ（Hard  Disc  Drive）である。プロセッサ２９は、プログラムに記述された命令セットを実行するためのハードウェアであり、演算装置、レジスタ、周辺回路などにより構成される。
【００３６】
＜１．１  端末装置１０の構成＞
図２は、実施の形態１の測定システム１を構成する端末装置１０のブロック図である。図２に示すように、端末装置１０は、複数のアンテナ（アンテナ１１１、アンテナ１１２）と、各アンテナに対応する無線通信部（第１無線通信部１２１、第２無線通信部１２２）と、操作受付部１３０（タッチ・センシティブ・デバイス１３１を含む。この他に、マウス、タッチパッドなどの各種ポインティングデバイスを含むこととしてもよいし、キーボード、ジェスチャ検出装置を含むこととしてもよい）と、ディスプレイ１３２と、音声処理部１４０と、マイク１４１と、スピーカ１４２と、位置情報センサ１５０と、カメラ１６０と、記憶部１８０と、制御部１９０と、を含む。端末装置１０は、図２では特に図示していない機能及び構成（例えば、電力を保持するためのバッテリ、バッテリから各回路への電力の供給を制御する電力供給回路など）も有している。図２に示すように、端末装置１０に含まれる各ブロックは、バス等により電気的に接続される。
【００３７】
アンテナ１１１は、端末装置１０が発する信号を電波として放射する。また、アンテナ１１１は、空間から電波を受信して受信信号を第１無線通信部１２１へ与える。
【００３８】
アンテナ１１２は、端末装置１０が発する信号を電波として放射する。また、アンテナ１１２は、空間から電波を受信して受信信号を第２無線通信部１２２へ与える。
【００３９】
第１無線通信部１２１は、端末装置１０が他の無線機器と通信するため、アンテナ１１１を介して信号を送受信するための変復調処理などを行う。第２無線通信部１２２は、端末装置１０が他の無線機器と通信するため、アンテナ１１２を介して信号を送受信するための変復調処理などを行う。第１無線通信部１２１と第２無線通信部１２２とは、チューナー、ＲＳＳＩ（Received  Signal  Strength  Indicator）算出回路、ＣＲＣ（Cyclic  Redundancy  Check）算出回路、高周波回路などを含む通信モジュールである。第１無線通信部１２１と第２無線通信部１２２とは、端末装置１０が送受信する無線信号の変復調や周波数変換を行い、受信信号を制御部１９０へ与える。
【００４０】
操作受付部１３０は、ユーザの入力操作を受け付けるための機構を有する。具体的には、操作受付部１３０は、ポインティングデバイスとして、タッチ・センシティブ・デバイス１３１等を含む。タッチ・センシティブ・デバイス１３１は、端末装置１０のユーザの入力操作を受け付ける。タッチ・センシティブ・デバイス１３１は、例えば静電容量方式のタッチパネルを用いることによって、タッチパネルに対するユーザの接触位置を検出する。タッチ・センシティブ・デバイス１３１は、タッチパネルにより検出したユーザの接触位置を示す信号を入力操作として制御部１９０へ出力する。なお、端末装置１０は、測定装置３１と通信し、測定装置３１の測定結果を受け付けることにより、ユーザの入力操作を受け付けることとしてもよい。例えば、測定装置３１が点群データを取得する場合に、点群データに基づいてユーザの身体、ユーザの身体を構成する各関節を検出し、当該検出結果に基づいて、ユーザのジェスチャを入力として受け付ける。ユーザが入力可能なジェスチャとしては、ユーザの手の動き、頭部の動きなどの身体の動きがある。例えば、操作受付部１３０は、ユーザが所定のポーズをとること（両手を水平に上げて「Ｔ」字型のポーズをとる）を検出することとしてもよいし、ユーザが手を所定の形状にすることを検出することとしてもよい。
【００４１】
ディスプレイ１３２は、制御部１９０の制御に応じて、画像、動画、テキストなどのデータを表示する。ディスプレイ１３２は、例えばＬＣＤ（Liquid  Crystal  Display）や有機ＥＬ（Electro-Luminescence）ディスプレイによって実現される。端末装置１０と、出力装置（ディスプレイ１３２、スピーカ１４２）とは別のデバイスとして実現してもよい。
【００４２】
音声処理部１４０は、音声信号の変復調を行う。音声処理部１４０は、マイク１４１から与えられる信号を変調して、変調後の信号を制御部１９０へ与える。また、音声処理部１４０は、音声信号をスピーカ１４２へ与える。音声処理部１４０は、例えば音声処理用のプロセッサによって実現される。マイク１４１は、音声入力を受け付けて、当該音声入力に対応する音声信号を音声処理部１４０へ与える。スピーカ１４２は、音声処理部１４０から与えられる音声信号を音声に変換して当該音声を端末装置１０の外部へ出力する。
【００４３】
位置情報センサ１５０は、端末装置１０の位置を検出するセンサであり、例えばＧＰＳ（Global  Positioning  System）モジュールである。ＧＰＳモジュールは、衛星測位システムで用いられる受信装置である。衛星測位システムでは、少なくとも３個または４個の衛星からの信号を受信し、受信した信号に基づいて、ＧＰＳモジュールが搭載される端末装置１０の現在位置を検出する。例えば、測定システム１において、ユーザが測定を行った場所を記録する場合に、位置情報センサ１５０の検出結果（緯度経度の情報、緯度経度と地図情報により特定される施設の情報、当該施設に関連付けられる事業所の情報など）を、測定結果と関連付けてサーバ２０で保持することとしてもよい。つまり、ユーザが測定を行った場所を、ユーザが当該場所を入力する操作によらずとも位置情報センサ１５０の検出結果に基づき端末装置１０が判別することとしてもよい。
【００４４】
カメラ１６０は、受光素子により光を受光して、撮影画像として出力するためのデバイスである。カメラ１６０は、例えば、カメラ１６０から撮影対象までの距離を検出できる深度カメラである。本実施形態において、測定装置３１を、端末装置１０のカメラ１６０により実現することとしてもよい。つまり、端末装置１０と測定装置３１とを別個の装置として実現することの他に、端末装置１０が測定装置３１の機能を搭載していることとしてもよい。
【００４５】
記憶部１８０は、例えばフラッシュメモリ等により構成され、端末装置１０が使用するデータおよびプログラムを記憶する。ある局面において、記憶部１８０は、ユーザ情報１８１と、測定項目情報１８２と、測定履歴情報１８３と、フレンドリスト１８４と、トレーニング項目情報１８５とを記憶する。これらの詳細は後述するが、概要は以下のとおりである。端末装置１０は、後述するサーバ２０の各種データベースから、これらの情報を取得することとしてもよい。
【００４６】
ユーザ情報１８１は、測定システム１におけるユーザの情報である。ユーザの情報としては、ユーザを識別する情報、ユーザの名称、ユーザの所属、ユーザの身体の情報（身長、体重、年齢など）等が含まれる。
【００４７】
測定項目情報１８２は、ＲＯＭチェックを行う場合の各測定項目の情報である。測定項目情報１８２としては、各測定項目においてユーザに対して出力する音声ガイドの情報などを含む。
【００４８】
測定履歴情報１８３は、ユーザの身体の動きを測定した測定結果の履歴を示す。
【００４９】
フレンドリスト１８４は、ユーザ同士がフレンドとして登録している各ユーザの情報を示す。フレンドとして登録しているユーザ間でメッセージの送受信を可能とすることとしてもよい。
【００５０】
トレーニング項目情報１８５は、ユーザに対し筋肉トレーニングメニューを提供する場合の、各トレーニング項目の情報を含む。例えば、トレーニングの名称と、ユーザが身体を動かすためのガイドとなる映像および音声の情報とを含む。端末装置１０は、ガイドとなる映像および音声によりユーザが身体を動かしていることを測定装置３１により測定し、ディスプレイ１３２に、逐次、測定結果を表示する。端末装置１０は、ディスプレイ１３２において、理想的な身体の動かし方と、ユーザが身体を動かしている際の測定結果（各関節の動き）とを対比させて、理想的な体の動かし方となるようユーザを促すこととしてもよい。
【００５１】
制御部１９０は、記憶部１８０に記憶されるプログラムを読み込んで、プログラムに含まれる命令を実行することにより、端末装置１０の動作を制御する。制御部１９０は、例えばアプリケーションプロセッサである。制御部１９０は、プログラムに従って動作することにより、入力操作受付部１９１と、送受信部１９２と、データ処理部１９３と、報知制御部１９４としての機能を発揮する。
【００５２】
入力操作受付部１９１は、タッチ・センシティブ・デバイス１３１等の入力装置に対するユーザの入力操作を受け付ける処理を行う。入力操作受付部１９１は、タッチ・センシティブ・デバイス１３１に対してユーザが指などを接触させた座標の情報に基づき、ユーザの操作がフリック操作であるか、タップ操作であるか、ドラッグ（スワイプ）操作であるか等の操作の種別を判定する。
【００５３】
送受信部１９２は、端末装置１０が、サーバ２０、測定ユニット３０等の外部の装置と、通信プロトコルに従ってデータを送受信するための処理を行う。
【００５４】
データ処理部１９３は、端末装置１０が入力を受け付けたデータに対し、プログラムに従って演算を行い、演算結果をメモリ等に出力する処理を行う。
【００５５】
報知制御部１９４は、表示画像をディスプレイ１３２に表示させる処理、音声をスピーカ１４２に出力させる処理等を行う。例えば、報知制御部１９４は、ＲＯＭチェック時に、音声によるガイドを出力する処理、エクササイズのためのトレーニングメニューを提供する際に、音声によるガイドと、模範となる身体の動きを示す映像とをユーザに提示する。
【００５６】
＜１．２  サーバ２０の機能的な構成＞
図３は、サーバ２０の機能的な構成を示す図である。図３に示すように、サーバ２０は、通信部２０１と、記憶部２０２と、制御部２０３としての機能を発揮する。
【００５７】
通信部２０１は、サーバ２０が、端末装置１０等の外部の装置と通信するための処理を行う。
【００５８】
記憶部２０２は、サーバ２０が使用するデータ及びプログラムを記憶する。記憶部２０２は、ユーザ情報データベース２８１と、測定項目情報２８２と、測定履歴データベース２８３と、フレンドリスト２８４等を記憶する。
【００５９】
ユーザ情報データベース２８１は、測定システム１により測定を行う各ユーザの情報を示す。詳細は後述する。
【００６０】
測定項目情報２８２は、複数の測定項目それぞれの情報を示す。詳細は後述する。
【００６１】
測定履歴データベース２８３は、各ユーザが測定を行った履歴を示す。詳細は後述する。
【００６２】
フレンドリスト２８４は、各ユーザがフレンド登録しているユーザの情報を保持するためのデータベースである。
【００６３】
トレーニング項目情報２８５は、ユーザに対しエクササイズ用のトレーニングメニューを提供する場合の、各トレーニング項目の情報を含む。トレーニングメニューは、ユーザの身体にかかる負荷、トレーニング対象の身体の部位などに応じて、複数のトレーニング項目の情報を含む。
【００６４】
制御部２０３は、サーバ２０のプロセッサがプログラムに従って処理を行うことにより、各種モジュールとして示す機能を発揮する。
【００６５】
操作内容取得モジュール２０４１は、ユーザの操作内容を取得する。操作内容取得モジュール２０４１は、例えば、ユーザが過去の測定ユニット３０による測定結果およびユーザの身体の動きの評価結果を取得する操作、他のユーザとメッセージを送受信するための操作、測定ユニット３０による測定が行われる機会がある場合に測定に参加することを申し込むための操作等を受け付ける。
【００６６】
受信制御モジュール２０４２は、サーバ２０が外部の装置から通信プロトコルに従って信号を受信する処理を制御する。
【００６７】
送信制御モジュール２０４３は、サーバ２０が外部の装置に対し通信プロトコルに従って信号を送信する処理を制御する。
【００６８】
マッチングモジュール２０４４は、ユーザ同士をマッチングさせる。マッチングモジュール２０４４は、例えば、複数のユーザが同一の測定会場で測定システム１により測定を行ったことを検知して、当該複数のユーザをマッチングさせ、フレンドとして登録するよう促すこととしてもよい。また、マッチングモジュール２０４４は、測定システム１により測定を行う履歴が同程度のユーザを抽出してマッチングさせることとしてもよいし、測定ユニット３０によるＲＯＭチェックの結果が同程度のユーザを抽出してマッチングさせることとしてもよい。このように複数のユーザをマッチングさせ、フレンドとして登録することを促すことで、複数のユーザがともに美しい姿勢を目指してトレーニングを行うよう促すことができ得るため、測定システム１により測定を継続することを支援することができる。
【００６９】
測定進行モジュール２０４５は、測定ユニット３０によりユーザの身体の動きを測定する処理を進行させる。測定進行モジュール２０４５は、測定項目情報２８２に示される各測定項目を読み出すことにより、ユーザに対し、順次、測定項目に従った測定のための音声によるガイド等を出力する。例えば、サーバ２０は、端末装置１０に対し、各測定項目を送信するとともに、各測定項目に従って、順次、ユーザの身体の動きを測定させることとしてもよい。
【００７０】
トレーニング進行モジュール２０４６は、ユーザに対し、映像および音声によりトレーニングメニューを提供する処理を進行させる。トレーニング進行モジュール２０４６は、トレーニング項目情報２８５に示される各トレーニング項目を読み出すことにより、ユーザに対し、順次、トレーニング項目に従ったトレーニングのための音声によるガイド、映像によるガイド等を出力する。
【００７１】
＜２  データ構造＞
図４は、サーバ２０が記憶するユーザ情報データベース２８１、測定項目情報２８２、測定履歴データベース２８３、フレンドリスト２８４のデータ構造を示す図である。
【００７２】
図４に示すように、ユーザ情報データベース２８１のレコードのそれぞれは、項目「ユーザ識別情報（ユーザＩＤ）」と、項目「ユーザ名」と、項目「性別」と、項目「身長」と、項目「体重」と、項目「所属」と、項目「評価値」と、項目「社内ポイント」等を含む。
【００７３】
項目「ユーザ識別情報（ユーザＩＤ）」は、ユーザそれぞれを識別する情報である。
【００７４】
項目「ユーザ名」は、ユーザが設定した名称である。
【００７５】
項目「性別」は、ユーザの性別を示す。例えば、ユーザが測定システム１の利用を開始しようとしてユーザの情報を登録する際に、性別を設定することとしてもよい。
【００７６】
項目「身長」は、ユーザの身体の動きを測定するうえで参照する情報として、ユーザの身長を示す。
【００７７】
項目「体重」は、ユーザの体重の情報を示す。ユーザの身体の動きを測定するうえで体重の情報を参照しない場合などにおいて、当該項目「体重」についてデータを保持しないこととしてもよい。
【００７８】
項目「所属」は、ユーザが組織に所属している場合など、ユーザの所属先の情報を示す。例えば、項目「所属」において、会社名、組織名、事業所名等の情報を含む。当該項目「所属」は、ユーザが仕事をするオフィスの所在の情報を含むこととしてもよい。
【００７９】
項目「評価値」は、ユーザが測定システム１においてＲＯＭチェックを行った測定結果に基づき評価される評価値、ユーザの歩行時の姿勢を測定した測定結果に基づく評価値の情報を含む。当該評価値は、例えば、端末装置１０が、測定ユニット３０による測定結果に基づいて、ユーザのＲＯＭチェックの結果を分類する場合の分類結果の情報を含む。
【００８０】
項目「社内ポイント」は、ユーザが所属する事業会社において使用される仮想的なポイントがある場合に、当該ポイントについてユーザが保有している量を示す。
【００８１】
測定項目情報２８２のレコードのそれぞれは、項目「測定項目番号（測定項目Ｎｏ．）」と、項目「測定部位」と、項目「ガイド音声」と、項目「マットにおける足の位置」と、項目「測定対象の身体の部位」とを含む。
【００８２】
項目「測定項目番号（測定項目Ｎｏ．）」は、測定項目それぞれを識別するための情報である。
【００８３】
項目「測定部位」は、測定対象となる身体の部位を示す。例えば、関節可動域を評価する対象として、以下の部位がある。
【００８４】
（ｉ）上肢の測定
・  肩甲骨：運動方向として、屈曲、伸展、拳上、引き下げがある。
・  肩：運動方向として、屈曲、伸展、外転、内転、外旋、内旋がある。
・  肘：運動方向として、屈曲、伸展がある。
・  前腕：運動方向として、回内、回外がある。
・  手：運動方向として、屈曲、伸展、撓屈、尺屈がある。
【００８５】
（ｉｉ）手指の測定
・  母指：運動方向として、撓側外転、尺側内転、掌側外転、掌側内転、屈曲、伸展がある。
・  指：運動方向として、屈曲、伸展、外転、内転がある。
【００８６】
（ｉｉｉ）下肢の測定
・  股：運動方向として、屈曲、伸展、外転、内転、外旋、内旋がある。
・  膝：運動方向として、屈曲、伸展がある。
・  足：運動方向として、屈曲、伸展がある。
・  足部：運動方向として、外がえし、内がえし、外転、内転がある。
・  母指：運動方向として、屈曲、伸展がある。
・  足指：運動方向として、屈曲、伸展がある。
【００８７】
（ｉｖ）体幹の測定
・  頸部：運動方向として、屈曲、伸展、回旋（左回旋、右回旋）、側屈（左側屈、右側屈）がある。
・  胸腰部：運動方向として、屈曲、伸展、回旋（左回旋、右回旋）、側屈（左側屈、右側屈）がある。
【００８８】
項目「ガイド音声」は、測定項目に示される測定を行う際に、ユーザに対して通知する音声の内容を示す。音声ガイドとしては、マット３２においてユーザが規定の位置に足を置いていない場合の音声（例えば、「マットの規定の位置に両足を置いてください」等）と、ユーザが測定のためにマット３２において規定の位置に足を置いたことを端末装置１０が検知してユーザに身体を動かすことを促す音声（例えば、「マットの規定の位置に両足を置いたまま身体をねじってください」等）と、測定装置３１の測定結果に基づきユーザの身体の動きの測定データが得られた場合の音声（例えば、「正常に測定されました」等）を含む。
【００８９】
項目「マットにおける足の位置」は、測定を行う際に、マット３２のいずれの位置にユーザの両足を置くか（マット３２においてユーザが足を置く位置）の情報を含む。端末装置１０は、例えば、項目「マットにおける足の位置」の情報に基づいて、ユーザの両足がマットの規定の位置に置かれているか否かを検出する。当該検出により、端末装置１０は、ユーザに対し、測定をするための身体の動作の内容を示す音声を出力する。
【００９０】
項目「測定対象の身体の部位」は、測定項目において測定の対象となる、ユーザの身体の部位を示す。
【００９１】
測定履歴データベース２８３のレコードそれぞれは、項目「測定番号（測定Ｎｏ．）」と、項目「日時」と、項目「ユーザ識別情報（ＩＤ）」と、項目「測定場所」と、項目「測定データ」と、項目「評価結果」とを含む。サーバ２０は、端末装置１０から、ユーザの身体の動きを測定した測定結果を受信する。サーバ２０は、端末装置１０から受信した情報に基づき測定履歴データベース２８３のレコードを更新する。
【００９２】
項目「測定番号（測定Ｎｏ．）」は、ユーザが測定ユニット３０により身体の動きを測定した際の、測定結果それぞれを示す。
【００９３】
項目「日時」は、ユーザが測定ユニット３０により測定を行ったタイミングを示す。。
【００９４】
項目「ユーザ識別情報（ＩＤ）」は、測定ユニット３０により身体の動きを測定したユーザを識別する情報を示す。
【００９５】
項目「測定場所」は、ユーザが測定ユニット３０により測定を行った場所を示す。サーバ２０は、端末装置１０から測定結果を受信した場合に、当該測定結果に対応付けられるユーザの情報を参照し、当該ユーザに関連付けられる情報（ユーザ情報データベース２８１）に基づき、ユーザが測定を行った場所を特定してもよい。例えば、ユーザ情報データベース２８１に示されるユーザの所属の情報に基づいて、当該所属先が位置する場所の情報を、測定ユニット３０により測定を行った場所としてもよい。また、端末装置１０が位置情報を位置情報センサ１５０により取得する等により、端末装置１０の位置を、測定ユニット３０により測定を行った場所とすることとしてもよい。
【００９６】
項目「測定データ」は、測定ユニット３０により測定される、ユーザの身体の動きの測定結果を示す。例えば、ユーザの身体の動きを、時系列の点群データとして測定する場合に、当該時系列の点群データを、項目「測定データ」における測定結果であるとしてもよい。また、測定装置３１により測定されるユーザの身体について、端末装置１０が測定結果に基づいてユーザの関節の位置を特定し、関節それぞれの動きを、ユーザの身体の動きの測定結果としてサーバ２０において保持することとしてもよい。例えば、端末装置１０は、ユーザの身体の撮影画像に基づいて、肩、肘など身体の特定の部位を検出することにより、ユーザの関節の時系列の動きを測定することができる。
【００９７】
項目「評価結果」は、項目「測定データ」に示される測定結果に基づいて、ユーザの身体の動きがどの程度の水準であるかを評価した評価結果を示す。端末装置１０は、例えば、項目「測定データ」においてユーザの関節の動きの時系列データを保持する場合に、参照先となる身体の動きのデータと比較することで、ユーザの身体の動きを評価する。例えば、端末装置１０が、参照先のデータとして、ユーザの身体の動きが良好な程度に応じて複数段階のデータを保持することにより、ユーザの身体の動きの測定結果に対し最も類似する動きの参照先のデータを特定することができる。
【００９８】
フレンドリスト２８４のレコードのそれぞれは、項目「ユーザ１」と、項目「ユーザ２」と、項目「フレンド登録日」と、項目「同タイミングでの測定履歴」と、項目「メッセージ送受信履歴」等を含む。
【００９９】
項目「ユーザ１」は、互いにフレンドとして登録しているユーザのうちの一方のユーザを示す。
【０１００】
項目「ユーザ２」は、互いにフレンドとして登録しているユーザのうちの他方のユーザを示す。
【０１０１】
項目「フレンド登録日」は、ユーザ同士がフレンドとして登録された日時を示す。
【０１０２】
項目「同タイミングでの測定履歴」は、フレンドとして登録されている各ユーザが、同一の場所、または、同一のタイミングの少なくともいずれかを満たしつつ測定を行った履歴を示す。例えば、事業所のオフィススペース等で測定ユニット３０を配置する場合に、複数のユーザが一定の時間帯のうちに測定を行うことにより、これら複数のユーザが同タイミングで測定を行ったとしてもよい。項目「同タイミングでの測定履歴」において、複数のユーザが測定を行った場所の情報を含むこととしてもよい。例えば、サーバ２０がフレンドリスト２８４を参照することにより、複数のユーザがともに測定ユニット３０による身体の動きの測定とトレーニングメニューによるトレーニングを実施している頻度を特定することができる。
【０１０３】
項目「メッセージ送受信履歴」は、フレンドとして登録しているユーザ同士が送受信したメッセージの履歴を示す。
【０１０４】
＜３  測定ユニット３０の構成＞
図５は、測定システム１により、ユーザが身体の動きを測定する局面を示す。図５では、測定ユニット３０を複数設置して、複数のユーザが測定を行う例を示している。また、１つの端末装置１０が、複数の測定ユニット３０と接続する例を示している。
【０１０５】
測定装置３１Ａは、センシング可能な検出範囲３８Ａにおいて第１のユーザＵｓｅｒ＿Ａの身体の動きを測定する。検出範囲３８Ａにおいて、測定装置３１Ａと所定の位置関係となる位置に、マット３２Ａを設置している。ここで、マット３２Ａの位置は、例えば、測定装置３１Ａの正面から一定距離（例えば、数メートル程度）の位置であるとしてもよい。マット３２Ａに第１のユーザＵｓｅｒ＿Ａが乗った場合に、測定装置３１Ａがユーザの全身の動きを測定可能となるように、測定装置３１Ａに対してマット３２Ａを設置するとよい。マット３２Ａの右側面および左側面において、それぞれ、ポール３３Ａが設置される。例えば、マット３２Ａにおいて、ユーザが両足を置くための既定の位置（ホームポジションと称してもよい）を示す模様がある場合に、当該模様を基準として、マット３２Ａの外側に一組のポール３３Ａを配置することとしてもよい。当該ポール３３Ａは、ユーザが両足を規定の位置に置いたままマット３２Ａ上において上肢をひねる動作をした場合に、ユーザがつかもうとする目安として設置する。これにより、ユーザが上肢をひねる動作をした場合にポール３３Ａにめがけて手を移動させようと促されるため、測定の機会を増やした場合においても上肢の動きのフォームをある程度安定させることができる。つまり、ユーザの身体の動きを測定する場合の時系列の測定結果のばらつきを抑えることができ得る。
【０１０６】
測定装置３１Ｂは、センシング可能な検出範囲３８Ｂにおいて第２のユーザＵｓｅｒ＿Ｂの身体の動きを測定する。検出範囲３８Ｂにおいて、測定装置３１Ｂと所定の位置関係となる位置に、マット３２Ｂを設置している。ここで、マット３２Ｂの位置は、例えば、測定装置３１Ｂの正面から一定距離（数メートル程度）の位置であるとしてもよい。マット３２Ｂに第２のユーザＵｓｅｒ＿Ｂが乗った場合に、測定装置３１Ｂがユーザの全身の動きを測定可能となるように、測定装置３１Ｂに対してマット３２Ｂを設置するとよい。マット３２Ｂの右側面および左側面において、それぞれ、ポール３３Ｂが設置される。
【０１０７】
第１のユーザＵｓｅｒ＿Ａは、ディスプレイ１３２Ａに表示される映像、音声を視認しつつ、マット３２Ａの模様を目安に足の位置を確認して、身体を動かす。同様に、第２のユーザＵｓｅｒ＿Ｂは、ディスプレイ１３２Ｂに表示される映像、音声によるガイドに従って、身体を動かす。これにより、第１のユーザＵｓｅｒ＿Ａ、第２のユーザＵｓｅｒ＿Ｂの身体の動きを、それぞれ、測定装置３１Ａ、３１Ｂにより測定することができる。
【０１０８】
図示する例では、第１のユーザＵｓｅｒ＿Ａは、ディスプレイ１３２Ａからの出力に基づき、マット３２Ａにおいてホームポジションに両足を置いたうえで、屈伸運動を始めようとしている。第２のユーザＵｓｅｒ＿Ｂは、ディスプレイ１３２Ｂからの出力に従って、右足を踏み出す動作をしている。
【０１０９】
図６は、マット３２の詳細を示す図である。図示するように、ユーザの右足および左足を置く目安となる模様が複数個所にわたって配置されている。
【０１１０】
例えば、複数の測定項目にわたってユーザの両足を置く目安となる位置に、右足用として、第１のホームポジション４１Ｒ、第２のホームポジション４２Ｒ、第３のホームポジション４３Ｒのように、右足を置く位置が複数示されている。
【０１１１】
左足用として、第１のホームポジション４１Ｌ、第２のホームポジション４２Ｌ、第３のホームポジション４３Ｌのように、左足を置く位置が複数示されている。
【０１１２】
なお、以降の説明において、ホームポジション４１Ｒおよび４１Ｌを総称してホームポジション４１等と記載することがある。同様に、ホームポジション４２Ｒおよび４２Ｌを総称してホームポジション４２と記載し、ホームポジション４３Ｒおよび４３Ｌを総称してホームポジション４３と記載することもある。
【０１１３】
測定項目それぞれ（測定項目情報２８２）について、ユーザが右足と左足とを拡げる間隔を規定したうえで、端末装置１０がユーザに対し所定の身体の動きを行うようガイドする。例えば、測定項目の測定に伴う音声ガイドにおいて、使用するホームポジションの位置の情報が案内されることとしてもよい。
【０１１４】
端末装置１０は、測定項目の測定にあたり、ユーザが、所定のホームポジションを使用しているか否かを、測定装置３１の測定結果に基づき判別する。例えば、測定装置３１のセンシング結果に基づいて、端末装置１０が、マット３２に示されるホームポジションの模様それぞれを識別する場合に、ユーザの足首等の検出結果に基づいて、ユーザの両足が乗っている模様を特定することができ得る。ユーザが、測定項目の測定を行う際に、想定されるホームポジションとは異なる位置に足を乗せている場合、ユーザに対し、音声ガイド、映像ガイド等により、適切な位置に足を置くよう促す通知をすることとしてもよい。
【０１１５】
また、端末装置１０は、測定項目として、ユーザが足を踏み出す動作をする場合の各関節の動きを端末装置１０が測定ユニット３０により測定することを含む。端末装置１０は、当該測定項目により、ユーザの身体の動かし方として足を踏み出す動作をする場合のバランスのよさ等を評価することができる。
【０１１６】
マット３２は、測定項目として足を踏み出す動作がある場合に、右足を踏み出す目標となる模様群４５Ｒを含む。同様に、左足を踏み出す目標となる模様群４５Ｌを含む。
【０１１７】
これら模様群４５Ｒ、４５Ｌを総称して「模様群４５」と記載することもある。
【０１１８】
模様群４５は、ユーザの身長に応じて、複数の踏み出し位置の目安となる模様を配している。図示する例では、ユーザの身長の幅として、「１４０ｃｍ」〜「２００ｃｍ」までの範囲で、１０ｃｍ刻みで模様を配している。当該模様としては、足のつま先部分を模した形状とすることで、ユーザに対し、足を踏み出す目標となる位置であることを容易に認識させることができる。ユーザは、例えば、ホームポジション４１Ｒおよび４１Ｌ、または、模様４４Ｒおよび４４Ｌ（これらを総称して「模様４４」と記載することもある）の位置を初期位置として両足を置き、片足ずつ、身長に応じた目安の模様の位置まで足を踏み出す動作を行う。端末装置１０は、測定ユニット３０により、当該踏み出し動作をする場合のユーザの身体の動き（関節の動き）を測定する。端末装置１０は、ユーザが足を踏み出す動作を測定する際に、ユーザに踏み出してほしい距離に応じて、足の初期位置として、ホームポジション４１〜４３、または、模様４４を指定して、ユーザにガイドすることとしてもよい。
【０１１９】
図示する例では、ポール３３の位置についても示している。例えば、ホームポジション４１、４２、４３に対して直線状で並ぶようにポール３３（右側および左側）を配することとしてもよい。ユーザは、例えば、ホームポジション４１、４２、４３のいずれかに両足を置いたまま、上肢をひねる動作をして、ポール３３をつかもうとする。
【０１２０】
なお、図示するように、模様群４５Ｒ、４５Ｌにおいて、矢印の模様を配することとしてもよい。図示する例では、矢印の模様を、模様群４５Ｒ、４５Ｌの各身長に応じた模様と重ねて配することとしている。これにより、ユーザが足を前に踏み出す動作をすることをユーザに意識づけることができ、マット３２をユーザが見た時に、測定時の身体の動かし方で迷う可能性を減らすことができ得る。
【０１２１】
また、図示するように、模様の大きさについて、当該模様がユーザが足を置く目安となるものであるため、図示する例で縦方向（足を踏み出す方向）の長さを一般的な足の大きさと同程度（長さが２２ｃｍ〜２８ｃｍ程度）としてもよい。模様の形状は、ユーザから見て、模様に足を置くものと容易に理解できるよう、足あと、または、足あとに類似する形状であるとしてもよい。
【０１２２】
＜４  動作＞
以下、端末装置１０がユーザの身体の動きを測定する測定処理を説明する。
【０１２３】
図７は、端末装置１０がＲＯＭチェックを行って測定履歴を更新する処理を示すフローチャートである。
【０１２４】
ステップＳ７００において、端末装置１０の制御部１９０は、ディスプレイ１３２に、測定をするユーザがログインするための画面を表示して、ユーザからログインのための操作を受け付ける。端末装置１０は、例えば、ユーザそれぞれが所持するＩＣカードなどの記録媒体から情報を読み取る、ユーザが所持する通信端末に表示される二次元コードを読み取る等により、ユーザの認証を行い、当該ユーザの情報を取得する。例えば、端末装置１０は、サーバ２０と通信することにより、当該ユーザの情報として、ユーザの身長などの情報（ユーザ情報データベース２８１）、過去の測定履歴（測定履歴データベース２８３）、ユーザとフレンドとして登録している他のユーザの情報（フレンドリスト２８４）を取得する。また、端末装置１０は、サーバ２０から、測定項目の情報（測定項目情報２８２）を取得して測定項目情報１８２として記憶している。
【０１２５】
ステップＳ７０１において、端末装置１０は、測定装置３１の測定結果に基づき、測定装置３１の測定範囲においてマット３２とポール３３とが設置されていることを検出する。例えば、端末装置１０は、測定装置３１の測定結果を二次元画像として画像認識を行う等により、マット３２と、ポール３３とを検出する。端末装置１０は、測定装置３１に対しマット３２、ポール３３が所定の位置にあることを検出する。つまり、端末装置１０は、マット３２とポール３３とが測定に適した位置にあり、ユーザがガイドの音声および映像を確認しやすい位置にあることを検出する。
【０１２６】
ステップＳ７０３において、端末装置１０は、測定項目情報１８２を参照し、各測定項目について順次測定をする処理を行う。端末装置１０は、第１の測定項目を読み出して、音声、映像により、測定のためのガイドとなる情報（マット３２においてユーザが足を置く位置など）を出力する。端末装置１０は、測定装置３１の測定結果に基づきユーザの関節を検出し、ユーザの両足がマットの所定位置（測定項目により規定される位置）に置かれていることを検出する。
【０１２７】
ステップＳ７０５において、端末装置１０は、ユーザに対し、身体に所定の動作をさせるよう促す音声を出力する。端末装置１０は、測定装置３１により、ユーザの身体の動きを検出することで、ユーザの身体の動きを測定する。
【０１２８】
ステップＳ７０７において、端末装置１０は、順次、測定項目を測定項目情報１８２から読み出して、音声によるガイドを出力し、ユーザの足がマット３２の規定位置にあることを検出し、ユーザの身体の動きを測定する。
【０１２９】
ステップＳ７０９において、端末装置１０は、各測定項目についての測定が完了すると、ユーザの身体の動きの測定結果に基づいて、ユーザの関節の可動域を評価する。具体的には、端末装置１０は、測定装置３１の計測結果に基づきユーザの各関節の位置を特定し、関節の位置の時系列データ（時系列で変化する関節の位置の動き）により、測定対象となる身体の部位の可動域を評価する。端末装置１０は、関節の可動域の評価結果をディスプレイ１３２等により出力し、サーバ２０へ送信する。
【０１３０】
ステップＳ７５３において、サーバ２０は、ユーザのＲＯＭチェックの結果を端末装置１０から受信して、ユーザの測定結果に基づきデータベース（測定履歴データベース２８３、ユーザ情報データベース２８１）を更新する。
【０１３１】
次に、測定項目として、ユーザが足を踏み出す動作を測定する際の各装置の処理について説明する。
【０１３２】
図８は、端末装置１０が、ユーザが足を踏み出す動作を測定することで関節可動域を評価する処理を示すフローチャートである。
【０１３３】
ステップＳ８０１において、端末装置１０は、測定装置３１の測定結果に基づき、マット３２の規定の位置（測定項目情報２８２の項目「マットにおける足の位置」）に、ユーザの両足が置かれていることを検出する。端末装置１０は、規定の位置にユーザの両足が置かれていない場合に、ユーザに対し、規定の位置に足を置くようガイドすることとしてもよい。
【０１３４】
ステップＳ８０３において、端末装置１０は、ユーザに対し、ユーザの右足を、規定の位置から、ユーザの身長に応じた踏み出し位置へと踏み出すようガイドする音声、映像を出力する。
【０１３５】
ステップＳ８０５において、端末装置１０は、測定装置３１による測定結果に基づき、ユーザの右足が、マットにおいて規定の位置から別の位置へと踏み出されたことを検出し、ユーザが右足を踏み出す動作の測定結果を記録する。端末装置１０は、ユーザの右足が、踏み出すべき目標となる位置とは異なる位置に踏み出された場合に、測定をし直すため、ユーザに対し、再度、右足を目標となる位置に踏み出すようガイドすることとしてもよい。
【０１３６】
ステップＳ８０７において、端末装置１０は、ユーザの左足を、規定の位置から、ユーザの身長（歩幅）に応じた踏み出し位置へと踏み出すようガイドする音声を出力する。
【０１３７】
ステップＳ８０９において、端末装置１０は、測定装置３１の測定結果に基づき、ユーザの左足が、マットにおいて規定の位置から別の位置へと踏み出されたことを検出し、ユーザが左足を踏み出す動作の測定結果を記録する。
【０１３８】
ステップＳ８１１において、端末装置１０は、ユーザがマット３２において足を踏み出す動作の測定結果に基づき、下肢の関節の可動域を評価し、評価結果をディスプレイ１３２等に出力し、サーバ２０へ送信する。
【０１３９】
次に、ユーザが上体をひねる動作を測定する際の各装置の処理について説明する。
【０１４０】
図９は、端末装置１０が、ユーザが上体をひねる動作を測定することで関節可動域を評価する処理を示すフローチャートである。
【０１４１】
ステップＳ９０１において、端末装置１０は、測定装置３１の測定結果に基づき、マットの規定の位置に、ユーザの両足が置かれていることを検出する。
【０１４２】
ステップＳ９０３において、端末装置１０は、ユーザの身長の情報に基づいて、ポール３３の高さが適切か判定する。例えば、端末装置１０が、ユーザの身長に応じて適切となるポール３３の高さの情報を対応付けて記憶することにより、測定装置３１の測定結果により検出されるポール３３の高さが適切であるか否かを判定する。例えば、ユーザが直立した際のユーザの手の位置により、適切なポール３３の高さを規定することとしてもよい。ここで、ユーザが直立した際の手の位置は、ユーザの身長によっても変動し得る。つまり、身長が高いほど、直立時の手の位置も高くなると想定される。また、端末装置１０が、測定装置３１の測定結果に基づいて、直立姿勢の際のユーザの手の位置（地面からの高さ）を検出することにより、ポール３３の適切な高さを、当該手の位置に基づき決定することとしてもよい。つまり、測定装置３１によるユーザの身体の測定結果に応じて、ポール３３の高さを調整することとしてもよい。
【０１４３】
なお、ポール３３の高さは、例えば、測定装置３１の測定結果に基づいて、ポール３３が地面と接する第１の位置と、ポール３３の頭頂部となる第２の位置とを特定し、測定装置３１の位置から、これらポール３３の第１の位置、第２の位置までの距離の情報に基づいて判定することとしてもよい。この他に、ポール３３を引き延ばすことが可能な構造である場合に、ポール３３の模様として、ポール３３の高さを示すものが含まれることとし、端末装置１０が当該ポール３３の高さを示す模様を検出することとしてもよい。
【０１４４】
端末装置１０は、ポール３３を設置する位置が適切であるか否かを判定することとしてもよい。例えば、端末装置１０は、ポール３３においてホームポジション等を示す模様を検出し、当該模様の位置と、ポール３３が地面に接している位置との位置関係に基づいて、ポール３３の位置が適切であるか否かを判定することとしてもよい。
【０１４５】
ステップＳ９０５において、端末装置１０は、ユーザの両足をマットの規定の位置につけたまま身体を右側にひねり、左手で右ポール（右側に配置されるポール３３）、右手で左ポール（左側に配置されるポール３３）をつかむようガイドする音声、映像を出力する。
【０１４６】
ステップＳ９０７において、端末装置１０は、測定装置３１の測定結果に基づき、ユーザが身体を右側にひねる動作の測定結果を記録する。
【０１４７】
ステップＳ９０９において、端末装置１０は、ユーザの両足をマットの規定の位置につけたまま身体を左側にひねり、右手で左ポール、左手で右ポールをつかむようガイドする音声を出力する。
【０１４８】
ステップＳ９１１において、端末装置１０は、測定結果に基づき、ユーザが身体を左側にひねる動作の測定結果を記録する。
【０１４９】
ステップＳ９１３において、端末装置１０は、ユーザが身体をひねる動作の測定結果に基づき、身体の各関節の可動域を評価し、評価結果を出力する。関節の可動域の評価としては、ユーザが上体をひねることにより、ポール３３をつかむことができたか否かも、評価の項目として使用することとしてもよい。
【０１５０】
以上のように、ポール３３の高さを、ユーザが直立した際の手の高さと同程度とすることにより、ユーザが上体をひねる動作をした際、ユーザが背後を振り返りつつ、視認できるポール３３を目標として、手、腕部を動かそうとする。これにより、ユーザが上体をひねる動作のブレ幅を小さくすることができ、端末装置１０が測定結果を蓄積させた際に、測定結果の時系列のデータを比較することが容易になる。
【０１５１】
＜５  画面例＞
図１０は、ユーザの身体の動きを測定する局面における、端末装置１０の通知内容の例を示す図である。
【０１５２】
図１０（Ａ）の画面例は、端末装置１０において、ユーザから、測定を行うためにログインする操作を受け付ける局面を示す。図７のステップＳ７００の処理に対応する。例えば、事業会社の事業所、店舗スペース等に測定ユニット３０が設置されており、複数のユーザが利用する際に、まずユーザの認証を行う。
【０１５３】
図１０（Ａ）に示すように、端末装置１０は、ディスプレイ１３２に、通知部１３２Ｌを表示する。端末装置１０は、通知部１３２Ｌにおいて、ユーザがログインするための操作内容を表示する。図示する例では、事業所に測定ユニット３０が設置されるものとして、ユーザの社員証を読み込ませることでログインが可能であることが通知部１３２Ｌに示されている。端末装置１０は、通知部１３２Ｃにおいて、別のユーザが同じタイミングで測定を行おうとしていることを表示する。図５の例のように、複数の測定ユニット３０が設置されており、複数のユーザがともに測定を行う場合に、端末装置１０は、測定を行う別のユーザの経過を通知部１３２Ｃに表示する。図１０（Ａ）の例では、端末装置１０は、通知部１３２Ｃにおいて、同じタイミングで測定を行う別のユーザが、既にログインの処理を終えていることを表示している。
【０１５４】
図１０（Ｂ）の画面例は、端末装置１０において、ユーザが足を踏み出す動作を測定する局面を示す。図８のステップＳ８０１〜Ｓ８１１の処理に対応する。
【０１５５】
図１０（Ｂ）に示すように、端末装置１０は、ディスプレイ１３２に、通知部１３２Ｄと、通知部１３２Ｅと、ガイド出力部１３２Ｆと、検出結果表示部１３２Ｇとを表示する。
【０１５６】
端末装置１０は、通知部１３２Ｄにおいて、ログインしているユーザ（つまり、測定をしているユーザ）の情報を表示する。これにより、ユーザは、誤って別のユーザとして測定を行っていないかどうかを容易に確認することができる。
【０１５７】
端末装置１０は、通知部１３２Ｅにおいて、ユーザが測定を行った履歴を表示する。図示する例では、これまでに測定ユニット３０を利用してユーザが測定を行った回数を表示しているが、この他に、過去の測定における評価結果等を表示してもよい。これにより、ユーザは、継続して測定を行っていることを容易に確認することができ、測定を継続していくよう動機づけられうる。
【０１５８】
端末装置１０は、ガイド出力部１３２Ｆにおいて、ユーザに対し、ユーザの身長に応じて、足を踏み出す目標となる模様の情報を、映像および音声により通知する。これにより、ユーザは、目標となる模様に向けて足を踏み出すイメージを容易に描くことができ、測定のための動作を容易に行うことができる。
【０１５９】
端末装置１０は、検出結果表示部１３２Ｇにおいて、測定装置３１による検出結果を表示する。例えば、端末装置１０は、検出結果表示部１３２Ｇにおいて、ユーザの両足が、測定を行うための規定の位置にある（ホームポジションに両足が置かれている）等の情報を表示する。これにより、ユーザは、正確に手順に沿って測定を行っていることを容易に認識することができ、測定エラーにならないであろうという安心感を感じつつ測定を行うことができる。
【０１６０】
図１０（Ｃ）の画面例は、端末装置１０において、ユーザが上体をひねる動作を測定する局面を示す。
【０１６１】
図１０（Ｃ）の画面例では、端末装置１０は、ポール３３の高さが適切ではないことを検出しており、ユーザに対し、ガイド出力部１３２Ｆにおいて、ポール３３を所定の高さまで伸ばすよう促す表示をしている。図９のステップＳ９０３の処理に対応する。
【０１６２】
図１０（Ｄ）の画面例は、端末装置１０において、測定が完了したことと、測定結果に基づく評価結果と、他のユーザとのフレンド登録を促すこととをユーザに通知する局面を示す。
【０１６３】
図１０（Ｄ）の画面例において、端末装置１０は、ガイド出力部１３２Ｆにおいて、複数の測定項目のすべてについて測定が完了したこと、測定項目についてユーザの身体の動きを評価した結果を表示する。端末装置１０は、過去のユーザの測定履歴を参照して、過去の測定結果との比較結果（前回よりも関節可動域が変化した等）をガイド出力部１３２Ｆにおいて表示する。
【０１６４】
端末装置１０は、通知部１３２Ｍにおいて、他のユーザとフレンドとして登録するよう促す表示と、当該他のユーザをフレンドの候補として提案する経緯（同じ場所で測定を行った等）とを表示する。
【０１６５】
＜小括＞
（１）以上のように、本実施形態によると、ＲＯＭチェックをするにあたり、特段、角度計などの物理的な測定器具をユーザの身体に当てる必要もないため、端末装置１０のガイドにより、ユーザ自身で容易に測定をすることができる。また、測定項目に従って測定を進行させることにより、ユーザの下半身、および、上半身の各関節の可動域を評価することができる。
【０１６６】
（２）ユーザの身体の動きを測定するにあたり、マット３２、ポール３３を用いて、ユーザが身体を動かす目標点をユーザに認識させることができる。これにより、ユーザが身体を動かすフォームが安定するため、測定結果を蓄積して比較し、身体の動きの変化をユーザが確認することが容易となる。例えば、マット３２を用いることにより、（ｉ）ユーザが踏み出す動作をする場合の歩幅、動作の範囲といったストライドのさせ方を規定することができ、ユーザに対し、測定において規定された動作をするよう促すことができる。継続してユーザの身体の動作を測定する場合に、ユーザが測定の際に行う動作を規定することで、時間の経過に応じた測定結果の比較をしやすくすることができる。つまり、ユーザの身体の動作が規定されることにより、ユーザの身体の動作がどのように変化していったかの評価をよりいっそう容易にすることができる。また、マット３２を用いることにより、（ｉｉ）測定装置３１に対するユーザの立ち位置を規定することができる。端末装置１０は、測定装置３１の測定結果に基づいて、マット３２が、測定装置３１に対して所定の位置に配置されているかを判定することができる。よって、マット３２によりユーザの身体の動作を測定する際、マット３２の各模様によりユーザの立ち位置が規定される。これにより、ユーザの身体の動作が、測定装置３１の測定範囲に収まりやすくすることができる。例えば、ユーザが腕を真上又は真横に突き出す動作をしたとしても、予め、測定装置３１に対して所定の位置にマット３２を配置しておくことにより、ユーザの身体の動きが測定装置３１の測定範囲から外れてしまうことを抑止することができる。また、マット３２を用いることにより、（ｉｉｉ）ユーザに特定の動作をさせる際、ユーザに適切な体勢をとらせたうえで、測定をすることができる。例えば、ホームポジションにより、ユーザの立ち位置を規定することができ、ユーザに所定の動作をさせる際（しゃがむ動作、片足を上げる動作など）、測定に適した体勢（所定の足幅であるなど）で測定を開始することができる。
【０１６７】
これらにより、ユーザの全身の各関節のしなやかさを容易に評価することができる。
【０１６８】
（３）さらに、第１の実施の形態において、ユーザの身体の動作の測定結果（ＲＯＭチェックの結果など）に応じて、端末装置１０が、ユーザに適したエクササイズの提案をすることとしてもよい。例えば、端末装置１０において、ＲＯＭチェックの評価結果（測定履歴情報１８３、測定履歴データベース２８３）の分類結果に対応付けて、エクササイズメニュー（トレーニング項目情報１８５、２８５）を保持しているとする。すなわち、ユーザの身体の動作の測定結果、評価結果と対応付けて、予め、提案するトレーニングメニューの情報を保持しているとする。端末装置１０は、測定履歴データベース２８３を参照し、ＲＯＭチェックなどユーザの身体の動作の測定結果、評価結果に基づいて、ユーザに提案するエクササイズメニューを特定し、特定したエクササイズメニューを、ディスプレイ１３２等に表示する等によりユーザに提示することとしてもよい。例えば、ＲＯＭチェックの結果、ユーザの各関節の可動域を評価することができる。サーバ２０は、トレーニング項目情報２８５において、ユーザがエクササイズを実行するのに必要な、関節の可動域の広さが予め定められていることとしてもよい。例えば、ＲＯＭチェックの結果、ユーザの股関節の可動域が一定程度よりも小さい場合（股関節が硬い場合）、所定のトレーニング項目についてはエクササイズとしてユーザに提供しない（端末装置１０において、当該トレーニング項目に基づく映像を表示する等の処理を実行できない）ようにしてもよい。また、ＲＯＭチェックの結果に基づいて、ユーザの身体の各関節の評価結果に応じたエクササイズメニューをユーザに提供することとしてもよい。
【０１６９】
また、端末装置１０は、ユーザがトレーニング項目に示されるトレーニングを実行している際の身体の動きを測定し、トレーニングに規定されているようにユーザが身体を動作させることができているか否かを判定する。ユーザがエクササイズを続けた結果、徐々に、歩行姿勢を美しくするための身体の各部位の筋力が向上していき、エクササイズとして求められる動きができるようになることが期待される。これにより、端末装置１０は、ユーザがエクササイズメニューを達成したと判定し、別のエクササイズメニューをユーザに提示することとしてもよい。
【０１７０】
また、ユーザの身体の動作の測定結果の評価結果と同程度の他のユーザが実行したエクササイズメニューの履歴に基づいて、ユーザに対し、エクササイズメニューを提案することとしてもよい。
【０１７１】
（４）以上の第１の実施の形態の説明では、現実世界に、測定装置３１、マット３２、ポール３３を設置することで、ユーザの身体の動きを測定し、評価する例について説明した。
【０１７２】
この他に、仮想空間において、これらマット３２に対応するオブジェクト、ポール３３に対応するオブジェクトを配置し、ユーザの身体の動きを測定することとしてもよい。例えば、ユーザは、ディスプレイ１３２を視認する、または、ヘッドマウントディスプレイ（ＨＭＤ）を装着するとする。端末装置１０は、当該ディスプレイ１３２またはＨＭＤにおいて、仮想空間における仮想カメラの設定に応じた視界画像を表示する。ユーザの身体の各部位（頭部、肩、肘、手、腰、膝、足など）にモーションセンサを装着することにより、端末装置１０が、ユーザの身体の動きをトラッキングする。ユーザは、仮想空間に設置される各オブジェクトを視認しつつ、ユーザの身体を動作させる。これにより、現実世界においてマット３２、ポール３３を設置せずとも、ユーザの身体の動きを測定し、評価することができる。
【０１７３】
また、現実世界にマット３２、ポール３３を設置することの他に、マット３２に対応する画像を床面などに照射することとしてもよく、ポール３３に対応する画像（立体画像など）を現実世界において表示することとしてもよい。例えば、現実世界において、レーザー、プロジェクタなどから光を照射して、仮想的なマット３２、ポール３３を、ユーザが視認可能に表示してもよい。
【０１７４】
＜第２の実施の形態＞
第２の実施の形態における測定システム１について説明する。第２の実施の形態では、ユーザの歩行時の動作を測定して、歩行姿勢を評価することと、これによりユーザが美しく、身体の機能を発揮しやすい歩き方を獲得することを支援することについて説明する。
【０１７５】
図１１は、第２の実施の形態における測定システム１により、ユーザが歩行する動作を測定する局面を示す。
【０１７６】
＜１  概要＞
測定装置３１Ａは、検出範囲３８Ａにおいて、第１のユーザＵｓｅｒ＿Ａが、所定の位置から測定装置３１Ａへと歩行する動作を測定する。端末装置１０Ａは、ディスプレイ１３２Ａにおいて、第１のユーザＵｓｅｒ＿Ａに対し、歩行の状態を計測することと、歩行をする際の身体の動かし方とを通知する。
【０１７７】
図１１の例において、座標軸を以下のように規定する。すなわち、第１のユーザＵｓｅｒ＿Ａの位置を基準として、歩行する方向を「前方」、歩行する方向に対向する方向を「後方」とし、歩行する方向により定まる軸を「前後軸」とする。一方、第１のユーザＵｓｅｒ＿Ａの位置を基準として、歩行する足を接地する面において、歩行する方向と直交する方向を「左右軸」とし、ユーザの右半身の方向を「右方向」、ユーザの左半身の方向を「左方向」とする。第１のユーザＵｓｅｒ＿Ａの足から頭頂部に至る、胴体方向の軸を「鉛直軸」とする。
【０１７８】
端末装置１０Ａは、ディスプレイ１３２Ａにより、第１のユーザＵｓｅｒ＿Ａに対し、測定装置３１Ａの位置から所定距離離れた位置を起点として、測定装置３１Ａに向かって歩くよう通知する。ここで、第１のユーザＵｓｅｒ＿Ａが歩行動作を始める当該起点は、例えば、測定装置３１Ａから数メートル程度離れた位置とし、第１のユーザＵｓｅｒ＿Ａの歩行のサイクル（右足を踏み出す動作および左足を踏み出す動作を１サイクルとする）を複数回繰り返すことが可能な位置に起点を設定することとしてもよい。測定装置３１Ａは、第１のユーザＵｓｅｒ＿Ａの歩行のサイクルを複数回測定することができる。端末装置１０Ａは、ユーザの歩行動作を測定装置３１Ａにより測定する際、当該起点に第１のユーザＵｓｅｒ＿Ａが位置していない場合は、第１のユーザＵｓｅｒ＿Ａに対し、当該起点に移動するよう促す通知をディスプレイ１３２Ａ等によりしてもよい。端末装置１０Ａは、当該起点に第１のユーザＵｓｅｒ＿Ａがいることに応答して、第１のユーザに対し、歩行動作の測定を開始する通知（または、歩行動作を始めることを促す通知）をしてもよい。
【０１７９】
図１２は、測定装置３１の測定結果に基づいて、端末装置１０が特定するユーザの身体の各部位を示す。端末装置１０は、ユーザの身体の特徴となる各点として、四肢の関節と、頭部、肩、体幹、骨盤、足、かかと、足のつま先、肋骨、上前腸骨棘、などを特定する。端末装置１０は、胸椎（体幹の中央）、骨盤の中央などを特定する。例えば、端末装置１０は、ユーザに対し、所定のポーズ（Ｔ字型となるよう両腕を横に突き出すポーズ、両腕を胴体につけるポーズなど）をとるよう促し、これら所定のポーズにおける測定装置３１の測定結果に基づいて、測定装置３１の測定結果におけるユーザの各関節の位置を特定することとしてもよい。
【０１８０】
＜２  データ構造＞
図１３は、第２の実施の形態におけるサーバ２０が記憶する測定結果データベース２８７、評価結果データベース２８８のデータ構造を示す図である。
【０１８１】
測定結果データベース２８７は、測定装置３１により測定される各ユーザの身体の動作（例えば、歩行動作、体幹のバランスをとる動作等）の測定結果を保持するデータベースである。
【０１８２】
測定結果データベース２８７のレコードのそれぞれは、項目「測定データＩＤ」、項目「日時」、項目「ユーザＩＤ」、項目「測定開始からの経過時間」、項目「測定データ」、を含む。
【０１８３】
項目「測定データＩＤ」は、測定装置３１により測定される測定データそれぞれを識別する情報を示す。第２の実施の形態において、端末装置１０は、ユーザの身体の動作の測定（例えば、歩行サイクルの測定）を開始して終了することにより、測定データそれぞれを識別する情報を、測定データと対応付けてサーバ２０に保存させる。
【０１８４】
項目「日時」は、測定装置３１によりユーザの身体の動作を測定した日時を示す。
【０１８５】
項目「ユーザＩＤ」は、測定装置３１により身体の動作が測定されるユーザそれぞれを識別する情報である。
【０１８６】
項目「測定開始からの経過時間」は、測定装置３１により、ユーザの身体の動作の測定を開始してからの経過時間を示す。
【０１８７】
項目「測定データ」は、図１２で説明したようなユーザの身体の各部位（頭部、肩、・・・）について、項目「測定開始からの経過時間」に示されるタイミングにおける位置を示す。例えば、項目「測定データ」において、測定装置３１の位置を基準とした座標系において、測定装置３１の位置からユーザの身体の各部位までの距離を測定した測定結果を保持させることとしてもよい。
【０１８８】
評価結果データベース２８８は、測定装置３１の測定結果（測定結果データベース２８７）に基づき、ユーザの身体の動作（例えば、歩行動作）を評価した評価結果を保持するデータベースである。
【０１８９】
評価結果データベース２８８のレコードのそれぞれは、項目「評価結果ＩＤ」、項目「測定データＩＤ」、項目「測定対象」、項目「評価結果」、を含む。
【０１９０】
項目「評価結果ＩＤ」は、測定装置３１によるユーザの身体の動作の測定結果を評価した評価結果それぞれを識別する情報である。
【０１９１】
項目「測定データＩＤ」は、評価の対象となる測定装置３１の測定結果（測定結果データベース２８７）それぞれを識別する情報である。
【０１９２】
項目「測定対象」は、ユーザの身体の動作として、測定の対象となる内容を示す。測定の対象としては、例えば、ユーザの歩行動作時の姿勢、ユーザの体幹のバランス等がある。
【０１９３】
項目「評価結果」は、測定装置３１の測定結果に基づき、ユーザの身体の動きを評価した評価結果を示す。例えば、ユーザの歩行動作時の姿勢について評価する場合、評価の対象としては、「ユーザの足の踏み出し」などがある。詳細は後述する。また、ユーザの体幹のバランスについて評価する場合、評価の対象としては、「肩、腰、足の位置がずれているか」などがある。詳細は後述する。
【０１９４】
＜３  動作＞
以下、第２の実施の形態２において端末装置１０がユーザの身体の動きを測定し、測定結果に基づき評価する処理を説明する。
【０１９５】
図１４は、第２の実施の形態において端末装置１０がユーザの歩行動作を測定し、評価する処理を示すフローチャートである。
【０１９６】
ステップＳ１４０３において、端末装置１０は、測定装置３１の測定結果に基づき、ユーザが測定装置３１の測定範囲内の所定の位置にいることを検出する。
【０１９７】
ステップＳ１４０５において、端末装置１０は、ユーザに対し、歩行動作をするようガイド(音声、映像)を出力する。端末装置１０は、測定装置３１の測定結果に基づきユーザの各関節を検出し、ユーザの歩行動作時の各関節の位置を記録する。
【０１９８】
ステップＳ１４０７において、端末装置１０は、測定装置３１の測定結果に基づき、ユーザの歩行動作のサイクルを複数の局面に分類する。端末装置１０は、ユーザの歩行動作の各局面の評価項目に従って、歩行動作を評価した評価値を決定する。
【０１９９】
ステップＳ１４０９において、端末装置１０は、歩行姿勢の理想となるモデルとあわせて、測定装置３１の測定結果と、歩行動作を評価した評価結果とをディスプレイ１３２等に出力する。端末装置１０は、測定結果と評価結果とをサーバ２０へ送信する。
【０２００】
ステップＳ１４５３において、サーバ２０は、ユーザの歩行動作の測定結果および評価結果に基づき測定結果データベース２８７、評価結果データベース２８８を更新する。
【０２０１】
＜４  測定結果、評価結果の出力例＞
図１５は、第２の実施の形態において端末装置１０がユーザの歩行動作を測定する測定結果、および、測定結果に基づきユーザの歩行動作を評価した評価結果を出力する場合の出力例を示す図である。図示する例では、端末装置１０は、ディスプレイ１３２に、これら測定結果、評価結果を表示する例を示しているが、端末装置１０がプリンタ等により紙媒体などに印刷することで、測定結果、評価結果を出力することとしてもよい。
【０２０２】
図１５（Ａ）は、端末装置１０がユーザの歩行動作を測定するために、測定装置３１に対して一定の歩数（例えば、数メートル程度）を歩くよう促す局面を示す。図１４のステップＳ１４０３、Ｓ１４０５の処理に対応する。
【０２０３】
端末装置１０は、ディスプレイ１３２において、表示部１３２Ｐ１により、ユーザに対し、歩行動作をする際に、歩行の仕方を案内する通知を表示する。端末装置１０は、表示部１３２Ｐ２、１３２Ｐ３において、測定装置３１の測定結果として、ユーザの身体の各部位を特定した位置（図１２で例示した、身体の各部位）を示す画像を表示する。端末装置１０は、ユーザの身体の各部位を線状に接続することで、ユーザの身体の測定結果をユーザにとって視認しやすく表示する。図１５の例では、ユーザの身体の右半身の各部位を点線で接続し、左半身の各部位を実線で接続している例を示す。これにより、ユーザは、測定装置３１の測定結果について、ユーザの身体の右半身の動きか、左半身の動きかを容易に認識することができる。
【０２０４】
端末装置１０は、表示部１３２Ｐ２により、測定装置３１の測定結果に基づき、随時、ユーザの正面（図１１に示す前後軸）から見た場合のユーザの各部位の位置を特定した結果を表示する。
【０２０５】
端末装置１０は、表示部１３２Ｐ３により、測定装置３１の測定結果に基づき、随時、ユーザの側面（図１１に示す左右軸）から見た場合のユーザの各部位の位置を特定した結果を表示する。つまり、端末装置１０は、測定装置３１による測定結果を、リアルタイムに表示部１３２Ｐ２、１３２Ｐ３に表示する。これにより、ユーザは、ユーザ自身の身体の動作の測定結果のフィードバックをリアルタイムに得ることができる。
【０２０６】
端末装置１０は、ユーザに対し、測定装置３１に対して接近していくように歩行動作を行うよう促す通知をする。ここで、端末装置１０は、表示部１３２Ｐ２、１３２Ｐ３においては、ユーザの身体から一定距離の位置においてユーザの身体の動きを測定したように測定結果を表示してもよい。例えば、端末装置１０は、３次元仮想区間を生成し、測定装置３１の測定結果（つまり、測定装置３１の位置から、第１のユーザＵｓｅｒ＿Ａの各部位の位置までの距離）に基づき、３次元仮想空間に、ユーザの身体の各部位の位置に対応するオブジェクトを配置する。例えば、端末装置１０は、３次元仮想空間において、測定装置３１に対応する座標を特定し、当該測定装置３１に対応する座標に対し、測定装置３１の測定結果に基づいて、各部位の位置に対応する座標に、各部位に対応するオブジェクトを配置する。端末装置１０は、測定装置３１による測定に伴う経過時間と関連付けて、３次元仮想空間において、各部位に対応するオブジェクトの位置の情報を保持する。つまり、３次元仮想空間において、ユーザの各部位の位置に対応するオブジェクトの移動の軌跡を再現することにより、ユーザの歩行動作を各部位の位置の軌跡として再現できるようにする。端末装置１０は、これらユーザの各部位の位置に対応するオブジェクト群に対し、一定の位置関係となる座標（例えば、「肩中央」に対し、前後軸において一定距離をあけた位置、または、胸腰に対し左右軸において一定距離をあけた位置）に仮想カメラを設定し、各部位の位置に対応するオブジェクトの移動に連動して仮想カメラを移動させることとしてもよい。
【０２０７】
端末装置１０は、表示部１３２Ｐ４において、測定装置３１による測定を適切に行うための情報を通知する。図１４のステップＳ１４０３に対応する。例えば、端末装置１０は、測定装置３１によりユーザの歩行動作を測定する際、ユーザが歩行を開始する位置が所定の位置にあるか否かを判定し、所定の位置から歩行を開始するよう促す通知をする。図示するように、端末装置１０は、ユーザが歩行を開始する位置が測定装置３１に対して近すぎる場合、さらに後方から歩行動作を始めるよう促す通知をする。
【０２０８】
図１５（Ｂ）は、端末装置１０がユーザの歩行動作の複数の局面のうちのある局面についての測定結果および評価結果を出力する局面を示す。図１４のステップＳ１４０９の処理に対応する。
【０２０９】
図１５（Ｂ）、図１５（Ｃ）では、ユーザの身体の測定結果について、鉛直軸を基準として表示する。これにより、ユーザの身体が、鉛直軸を基準にどのように回転できているかをユーザに提示することができる。
【０２１０】
端末装置１０は、ディスプレイ１３２において、ユーザの歩行姿勢の美しさの評価結果として、歩行動作時の肩の回転のバランス、腰の回転のバランスの評価結果を出力する。端末装置１０は、歩行動作を複数の局面に分けて、それぞれの局面において、肩の回転のバランス、腰の回転のバランスなどの評価結果を出力する。このように、歩行動作の複数の局面について、測定結果と評価結果とをユーザに提示することにより、ユーザの歩行動作を美しくするための示唆を提供することができる。
【０２１１】
端末装置１０は、表示部１３２Ｐ５により、歩行動作時のサイクル（右足を踏み出して、左足を踏み出す動作を１サイクルとする）において、左回転、右回転のそれぞれにおける肩の回転の傾きを表示する。
【０２１２】
端末装置１０は、表示部１３２Ｐ６において、右肩および左肩の位置により定まる「両肩を結ぶ線」、両股関節の位置により定まる「両股関節を結ぶ線」、右肩および左肩の位置の中心となる「肩の中心位置」、股関節の位置（例えば、右骨盤と左骨盤の位置）により定まる「腰の中心位置」を表示する。端末装置１０は、歩行動作の１サイクルにおいて、ユーザが左足を踏み出した際の左肩（または両肩）の位置と、股関節の位置とに基づき、鉛直軸を基準とした肩の左回転の程度（どこまで肩が回転しているか）を評価する。例えば、端末装置１０は、腰の位置を基準として、１サイクルにおいて左回転により肩が回転する量に基づき、「両肩を結ぶ線」を描画する。端末装置１０は、表示部１３２Ｐ６において、評価結果としてのスコア（点数「４．８点」）を表示している。
【０２１３】
端末装置１０は、表示部１３２Ｐ７において、「両肩を結ぶ線」、「両股関節を結ぶ線」、「肩の中心位置」、「腰の中心位置」を表示する。端末装置１０は、歩行動作の１サイクルにおいて、ユーザが右足を踏み出した際の右肩（または両肩）の位置と、股関節の位置とに基づき、鉛直軸を基準とした肩の左回転の程度を評価する。端末装置１０は、腰の位置を基準として、１サイクルにおいて右回転により肩が回転する量に基づき、「両肩を結ぶ線」を描画する。端末装置１０は、表示部１３２Ｐ７において、評価結果としてのスコア（点数「４．５点」）を表示しており、左回転と比較して低い点数となっている。
【０２１４】
端末装置１０は、表示部１３２Ｐ６、１３２Ｐ７において、歩行動作の１サイクルにおける左足を踏み出す動作、右足を踏み出す動作における「肩の中心位置」、「腰の中心位置」を表示する。これにより、歩行動作時に、腰の位置に対して上体がどのように傾いているかをユーザに認識させることができる。例えば、ユーザの歩行動作時に、上体が左右軸において動いている程度、前後軸において動いている程度をユーザに認識させることができる。図示する例では、表示部１３２Ｐ６において、左回転時の「肩の中心位置」と「腰の中心位置」との重なりの程度が大きく、上体がぶれていないのに対し、表示部１３２Ｐ７において、右回転時に、「肩の中心位置」と「腰の中心位置」との重なりが相対的に小さく、上体が左回転時よりも横方向にぶれている。そのため、評価結果となるスコアが、左回転時よりも右回転時のほうが低くなっている。
【０２１５】
図１５（Ｃ）は、端末装置１０がユーザの歩行動作の局面として、歩行動作時の前足を地面につけたときの測定結果および評価結果を出力する局面を示す。図１４のステップＳ１４０９に対応する。
【０２１６】
端末装置１０は、表示部１３２Ｐ８において、ユーザが歩行動作時に前足を地面につけた時の腰の回転の傾きの測定結果と評価結果とを表示する。
【０２１７】
端末装置１０は、表示部１３２Ｐ９において、左足を前足として地面につけた時の「両股関節を結ぶ線」等を表示する。図示するように、「両股関節を結ぶ線」が傾いているため、ユーザが、左足を地面につけた時に腰が回転できていることが示されている。
【０２１８】
端末装置１０は、表示部１３２Ｐ１０において、右足を前足として地面につけた時の「両股関節を結ぶ線」等を表示する。図示するように、「両股関節を結ぶ線」が傾いているため、ユーザが、右足を地面につけた時に腰が回転できていることを示す。
【０２１９】
図１６は、第２の実施の形態において端末装置１０がユーザの歩行動作を測定する測定結果、および、測定結果に基づきユーザの歩行動作を評価した評価結果を出力する場合の出力例を示す図である。図１４に示すステップＳ１４０７、Ｓ１４０９の処理に対応する。
【０２２０】
図１６の例では、端末装置１０は、ユーザの歩行動作の１サイクルの測定結果および評価結果について、歩行姿勢を美しく見せるための参考事例（モデル事例、お手本）と比較可能な態様で表示する。図１６に示す出力例についても、端末装置１０は、プリンタ等により紙媒体に印刷することで出力することとしてもよい。
【０２２１】
端末装置１０は、ディスプレイ１３２において、歩行動作の１サイクルを複数のステップにわけて、各ステップにおいて、歩行姿勢を美しく見せるためのお手本と、ユーザの歩行動作の測定結果と、測定結果に対する評価結果とを表示する。
【０２２２】
図１６の例では、歩行動作の１サイクルを、複数のステップに分けている。
【０２２３】
ここで、第１のステップ、第２のステップ、第３のステップにおいて、端末装置１０が評価する項目としては、これら各ステップにおいて共通する項目と、各ステップにおいて共通しない項目とが含まれる。
具体的には、端末装置１０は、表示部１３２Ｐ１１において、第１のステップにおけるお手本を表示する。端末装置１０は、表示部１３２Ｐ２１において、第１のステップにおけるユーザの身体の測定結果を表示する。端末装置１０は、第１のステップにおけるユーザの身体の動きの評価結果を表示する。
【０２２４】
端末装置１０は、表示部１３２Ｐ１１、１３２Ｐ１２において、これらの各評価項目が、美しい歩行姿勢にとって良好である場合の身体の各部位（関節）の位置を表示している。例えば、表示部１３２Ｐ１１において、上半身が傾いておらず、前足と後ろ足とが一定程度に開いており（歩幅が小さすぎず）、腰の位置も適切である（後ろ寄りになっていない）場合の身体の各部位の位置が示されている。
【０２２５】
端末装置１０は、表示部１３２Ｐ１２において、第２のステップにおけるお手本を表示する。端末装置１０は、表示部１３２Ｐ２２において、第２のステップにおけるユーザの身体の測定結果を表示する。端末装置１０は、第２のステップにおけるユーザの身体の動きの評価結果を表示する。
【０２２６】
端末装置１０は、表示部１３２Ｐ１３において、第３のステップにおけるお手本を表示する。端末装置１０は、表示部１３２Ｐ２３において、第３のステップにおけるユーザの身体の測定結果を表示する。端末装置１０は、第３のステップにおけるユーザの身体の動きの評価結果を表示する。
【０２２７】
図１７は、端末装置１０が、ユーザの歩行動作におけるひざの負担の評価結果を出力する例を示す図である。図１４のステップＳ１４０９に対応する。
【０２２８】
図１７（Ａ）は、ユーザの歩行動作において、股関節の内転および外転について測定した測定結果と、評価結果とを出力する例を示す。端末装置１０は、ディスプレイ１３２に、ユーザの歩行動作の測定結果を、前後軸に基づいて（ユーザを正面から見たものとして）表示し、歩行動作時の膝の曲がりをユーザが容易に確認できるようにする。
【０２２９】
端末装置１０は、表示部１３２Ｐ４１において、歩行動作時の測定結果を表示している。端末装置１０は、表示部１３２Ｐ４２において、右足を軸足として歩行する際の測定結果を表示する。端末装置１０は、表示部１３２Ｐ４３において、左足を軸足として歩行する際の測定結果を表示する。
【０２３０】
端末装置１０は、表示部１３２Ｐ４４において、ユーザの参考となるよう、好ましい測定結果のパターン（「軸足も遊脚もまっすぐ」）と、膝を痛める可能性のある測定結果のパターン（「ひざの外側を痛める可能性あり」、「ひざの内側を痛める可能性」）とについて表示する。つまり、歩行動作時に、股関節が内転しすぎていても、外転しすぎていても、歩行動作に伴い膝を痛めるおそれがある。
【０２３１】
以上により、ユーザは、端末装置１０の出力結果を参照することにより、ひざを痛めないよう歩行するよう促され得る。
【０２３２】
図１７（Ｂ）は、ユーザの歩行動作において、膝が足首よりも先行しすぎていないかの評価結果を出力する例を示す図である。端末装置１０は、ディスプレイ１３２に、ユーザの歩行動作の測定結果を、左右軸に基づいて（ユーザを側面から見たものとして）表示し、歩行動作時に、ひざを先行して動かし過ぎていないかをユーザが容易に確認できるようにする。
【０２３３】
端末装置１０は、表示部１３２Ｐ５１において、歩行動作時の測定結果を表示している。端末装置１０は、表示部１３２Ｐ５２において、右足を軸足として歩行する際の測定結果を表示する。端末装置１０は、表示部１３２Ｐ５３において、右足を軸足として歩行する際の測定結果を表示する。端末装置１０は、表示部１３２Ｐ５１において、ユーザの歩行姿勢の評価結果として「ひざの前方負担が小さい」旨を表示している。
【０２３４】
端末装置１０は、表示部１３２Ｐ５４において、ユーザの参考となるよう、好ましい測定結果のパターン（「良好」）と、膝を痛める可能性のある測定結果のパターン（「ひざが前に出過ぎている」）とについて表示する。つまり、ユーザが前足を踏み出そうとする際に、足首よりも膝が先行しすぎていると、膝を痛める可能性がある。端末装置１０は、足首の位置と膝の位置とを結ぶ線、および、膝の位置と骨盤の位置とを結ぶ線が交差する角度が所定角度以上あるか否か（膝から足首までが前に出ているか）に基づいて、ユーザが前足を踏み出そうとする際に、膝が先行し過ぎているかを評価する。
【０２３５】
以上のように、ユーザの歩行のサイクルについて、軸足を踏み出そうとする、軸足を着地させる、軸足に体重を乗せようとする、といった複数の局面について、歩行動作を評価する。これにより、ユーザは、各局面の評価結果を参照することで、歩行動作をより美しくするよう促される。また、お手本となる身体の動きとユーザの身体の動作の測定結果とを対比してユーザが参照できるようにすることで、ユーザが美しい歩行姿勢に近づけるよう促される。
【０２３６】
＜第３の実施の形態＞
第３の実施の形態における測定システム１について説明する。第３の実施の形態では、ユーザの体幹のバランスの測定結果を表示するとともに、体幹のバランスがとれた状態をユーザが獲得できるようにするための処理を説明する。
【０２３７】
＜動作＞
以下、第３の実施の形態において、端末装置１０がユーザの身体の動きを測定し、測定結果に基づき評価する処理を説明する。
【０２３８】
図１８は、第３の実施の形態において端末装置１０がユーザの体幹のバランスを測定し、評価する処理を示すフローチャートである。
【０２３９】
ステップＳ１８０３において、端末装置１０は、測定装置３１の測定結果に基づき、ユーザの体幹のバランス（肩、腰、足）を測定するようガイド（音声、映像）を出力する。端末装置１０は、ユーザの肩、腰、足の位置について、鉛直軸に基づいて、それぞれ円で表示して測定結果を表示する。端末装置１０は、ユーザの肩、腰、足の位置の重なり具合に応じて、体幹のバランスをとるよう促すガイドを出力する。
【０２４０】
ステップＳ１８０５において、端末装置１０は、測定装置３１の測定結果に基づき、ユーザの体幹のバランスを評価して評価値を出力する。端末装置１０は、測定装置３１の測定結果と、評価結果とをサーバ２０へ送信する。
【０２４１】
ステップＳ１８５３において、サーバ２０は、ユーザの体幹のバランスの測定結果および評価結果に基づき測定結果データベース２８７、評価結果データベース２８８を更新する。
【０２４２】
＜出力例＞
図１９は、第３の実施の形態において端末装置１０がユーザの体幹のバランスを測定する測定結果、および、体幹のバランスの評価結果を出力する例を示す図である。
【０２４３】
図１９（Ａ）は、端末装置１０がユーザの体幹のバランスを測定装置３１により測定するために、測定結果をリアルタイムに出力する局面の画面例を示す。図１８のステップＳ１８０３の処理に対応する。図１９（Ａ）の例では、表示部１３２Ｐ６１において、ユーザの身体の肩、腰、足のそれぞれに対応した円形の図形（正円、楕円など）を表示する。
【０２４４】
端末装置１０は、表示部１３２Ｐ６２において、ユーザの身体の各部位の測定結果を、前後軸に基づき表示する。
【０２４５】
端末装置１０は、表示部１３２Ｐ６３において、測定装置３１の測定結果に基づいて、ユーザの身体の肩、腰、足の各部位の位置を、鉛直軸に基づき表示する。端末装置１０は、測定装置３１の測定結果を、随時、表示部１３２Ｐ６３に表示する。よって、ユーザの身体がぶれると、肩、腰、足の各部位に対応する各円形の図形が重ならず、ずれを生じさせることになる。図１９（Ａ）の画面例では、ユーザの身体の各部位が、鉛直軸に沿って整っておらず、ずれていることを示している。ユーザは、ディスプレイ１３２の表示部１３２Ｐ６３の表示を見つつ、体幹のバランスをとるよう身体を動かすことを促される。
【０２４６】
端末装置１０は、表示部１３２Ｐ６４において、ユーザが体幹のバランスが取れた状態になるよう促す通知をする。端末装置１０は、測定装置３１の測定結果に基づいて、ユーザの身体の各部位のバランスを整えるために必要なユーザの身体の動きを特定する。図示する例では、ユーザの腰の部位の位置に対し、頭部と足の位置が後ろ側となっている。つまり、ユーザの腰の位置が前方に突き出した状態となっている。端末装置１０は、表示部１３２Ｐ６４において、前後方向において身体の傾きを整えるよう促す表示をする。これにより、ユーザは、体幹のバランスが取れた状態になるために必要な身体の動きを容易に認識することができる。
【０２４７】
図１９（Ｂ）は、ユーザの体幹のバランスが整った状態における測定結果の表示例を示す。表示部１３２Ｐ６３において、ユーザの肩、腰、足の各部位が、鉛直軸に沿って並んでおり、体幹のバランスがとれている。端末装置１０は、表示部１３２Ｐ６４において、体幹のバランスが取れた状態であることをユーザに通知している。
【０２４８】
図１９（Ｃ）は、体幹のバランスの測定を終了し、評価結果を出力する場合の表示例を示す。図１８のステップＳ１８０５の処理に対応する。
【０２４９】
端末装置１０は、表示部１３２Ｐ６５において、体幹のバランスの測定が終了した旨を表示し、測定結果に基づく評価結果を出力する。
【０２５０】
端末装置１０は、体幹のバランスの評価結果に基づいて、ユーザに提案するトレーニングメニューとして、体幹のバランスを整えるためのトレーニングメニューを決定する。図示する例では、端末装置１０は、表示部１３２Ｐ６５において、ユーザの体幹のバランスの評価結果と、評価結果に応じてユーザに提案するトレーニングメニューの候補とを表示する。端末装置１０は、表示部１３２Ｐ６６において、ユーザに提案するトレーニングメニューを開始するための操作を受け付ける。端末装置１０は、表示部１３２Ｐ６６へのユーザの入力操作に応答して、対応するトレーニングメニューを読み出す。
【０２５１】
端末装置１０は、表示部１３２Ｐ６７において、ユーザから、トレーニングメニューの指定を受け付ける。つまり、表示部１３２Ｐ６７では、端末装置１０が体幹のバランスの評価結果に基づきユーザに提案するトレーニングメニューにかかわらず、その他のトレーニングを開始するための入力操作を受け付ける。
【０２５２】
以上の各実施形態で説明した事項を、それぞれ組み合わせるとしてもよい。
【０２５３】
＜第４の実施の形態＞
第４の実施の形態の説明では、ユーザの身体の動きの測定結果として、ＲＯＭチェック（第１の実施の形態）、歩行姿勢のチェック（第２の実施の形態）、体幹のバランスの測定（第３の実施の形態）等に応じて、ユーザに適したトレーニングメニューを提案する技術について説明する。端末装置１０は、上記のようにユーザの身体の動きを測定し、評価することにより、ユーザの身体の各部位のうち、トレーニングすべきものを特定することができ、当該特定された結果に応じて、適したトレーニングメニューを提案する。
【０２５４】
このように構成すると、トレーニングメニューのコンテンツを新たに追加する際に、当該トレーニングメニューのコンテンツに、身体のどの部位に適したものか、また、ユーザの身体に生じうる悩みのいずれに応じたものかを関連付けることにより、ユーザの身体の動きの測定結果に応じたコンテンツをユーザに提供することができ、コンテンツの追加がよりいっそう容易になる。
【０２５５】
（１）端末装置１０は、以上のように、ユーザの歩行サイクルの各ステップにおける測定結果、評価結果に基づいて、ユーザに対し、エクササイズメニューを提案することとしてもよい。例えば、端末装置１０は、お手本となる身体の動きと、ユーザの身体の動きとを比較して（図１６の例）、ユーザが改善することが望ましい筋肉の部位を特定する。例えば、サーバ２０は、ユーザの歩行動作として、第１ステップ（足を前に踏み出す動作）の評価結果において、足の前後の開きが小さい場合、足を大きく踏み出せることが期待されるエクササイズメニューを、トレーニング項目情報２８５を参照することで特定する。すなわち、サーバ２０は、歩行動作の各ステップの評価項目、体幹のバランスの評価項目の評価結果に応じて、予め、提案するエクササイズメニューを関連付けて保持することとしてもよい。
【０２５６】
（２）ユーザの身体の動作の左右差を解消できるよう、端末装置１０が、ユーザに対しトレーニングメニューを提案することとしてもよい。端末装置１０は、以上のように、ＲＯＭチェック、歩行姿勢のチェックを行うことにより、ユーザの身体の動作の左右のバランスを評価する。端末装置１０は、例えば、ユーザの歩行動作時の肩の回転、腰の回転の評価結果に基づき、鉛直軸を基準とした回転動作の左右のバランスを評価する。端末装置１０は、ユーザの身体の動作が左右対称となっていない要因となっている筋肉の部位を特定する。例えば、端末装置１０は、肩の回転量の左右差の要因となる筋肉の部位の情報を予め保持している。以上のように、端末装置１０が、歩行動作時の評価の対象と、左右差の要因となる筋肉の部位の情報とを予め対応付けて保持して多くことにより、左右のバランス差を解消するためにトレーニングすべき筋肉の部位を特定することができる。
【０２５７】
（３）ユーザの身体の動作の評価結果に基づいて、端末装置１０が、ユーザの身体において将来起こり得る状態を予測するとともに、当該予測結果に基づいて、ユーザに対しトレーニングメニューを提案することとしてもよい。
【０２５８】
例えば、端末装置１０は、（ｉ）ユーザの身体に起こり得る悩みとして、「首・肩こり」、「二の腕のたるみ」、「内巻肩、頭が前に出た姿勢」、「腰痛」、「足のむくみ」、「腕のはり」などの各項目と、（ｉｉ）ユーザの身体の部位の情報とを対応付けて所定の情報として記憶している。また、端末装置１０は、上記のユーザの身体に起こり得る悩みの各項目と対応付けて、トレーニングとして提案するトレーニングメニューの情報を記憶している。
【０２５９】
端末装置１０は、ＲＯＭチェック、歩行動作のチェックを行うことにより、これらの測定結果、評価結果に基づいて、改善をすることが望ましい筋肉の部位を特定する。例えば、ＲＯＭチェックにおいて、身体のねじれが良好でない場合に、どの筋肉の部位が関連付けられているかが端末装置１０において予め保持されている。例えば、端末装置１０は、ＲＯＭチェックにおいて、肩、腰などの可動域の評価項目と対応付けて、筋肉の情報を保持している。
【０２６０】
端末装置１０は、動きが硬い筋肉の部位を特定する等により、当該所定の情報を参照することにより、将来起こり得る悩みを特定する。端末装置１０は、この特定結果に応じて、ユーザの身体に将来生じうる悩みに対応できるよう、ユーザに提案するトレーニングメニューを決定する。
【０２６１】
以上のように、歩行動作時のバランス、身体のねじれの評価項目と対応付けて筋肉の各部位の情報が関連付けられるとともに、筋肉の各部位の情報と、ユーザの身体に起こり得る悩みの各項目の情報とが関連付けられている。これにより、端末装置１０は、ユーザの身体の動作の評価結果に基づいて、ユーザそれぞれにカスタマイズされたトレーニングメニューを当該ユーザに提案することができる。
【０２６２】
＜第４の実施の形態におけるデータ構造＞
図２０は、第４の実施の形態におけるサーバ２０が記憶する各種データのデータ構造を示す図である。
【０２６３】
サーバ２０は、測定項目情報２８２において、測定項目それぞれについて、項目「起こり得る将来の悩み」と、項目「関連する筋肉の部位」とを保持する。
【０２６４】
項目「起こり得る将来の悩み」は、測定項目それぞれについて、測定結果について評価した評価結果によっては将来ユーザの身体に起こり得る悩みを特定する情報（例えば、「肩こり」、「首こり」などのタグ）である。
【０２６５】
項目「関連する筋肉の部位」は、測定項目それぞれについて、測定結果について評価した評価結果によってはトレーニングすることが望ましい身体の部位（筋肉の部位）の情報である。項目「関連する筋肉の部位」において、評価結果の程度に応じて、身体の部位の情報を段階的に保持してもよい。
【０２６６】
サーバ２０は、トレーニング項目情報２８５において、トレーニング項目それぞれについて、項目「コンテンツ」と、項目「対応する悩み」と、項目「関連する筋肉の部位」とを保持する。
【０２６７】
項目「コンテンツ」は、トレーニングを実施する際にユーザに提示されるコンテンツ（動画、ユーザの身体の動きの参考となるモーションデータ、音声データなど）を示す。
【０２６８】
項目「対応する悩み」は、トレーニング項目それぞれについて、評価結果によっては将来ユーザの身体に起こり得る悩みを特定する情報（例えば、「肩こり」、「首こり」などのタグ）である。
【０２６９】
項目「関連する筋肉の部位」は、トレーニング項目それぞれについて、評価結果によってはトレーニングすることが望ましい身体の部位（筋肉の部位）の情報である。項目「関連する筋肉の部位」において、評価結果の程度に応じて、身体の部位の情報を段階的に保持してもよい。
【０２７０】
サーバ２０は、評価結果データベース２８８において、項目「起こり得る将来の悩み」を保持する。項目「起こり得る将来の悩み」は、評価結果それぞれについて、評価結果によっては将来ユーザの身体に起こり得る悩みを特定する情報（例えば、「肩こり」、「首こり」などのタグ）である。
【０２７１】
以上のように、サーバ２０は、ユーザの身体の動きの評価結果に応じて評価結果データベース２８８を更新する。例えば、ＲＯＭチェックの測定結果に応じて（測定項目情報２８２）、ユーザの身体において将来起こり得る悩みの情報を特定し得る。サーバ２０は、評価結果データベース２８８を参照することにより、ユーザについて、起こり得る将来の悩みの情報を特定し、トレーニング項目情報２８５を参照することにより、ユーザに提案するトレーニング項目を抽出する。サーバ２０は、ユーザに提案するトレーニング項目を複数抽出する場合、所定の規則に基づいて優先度を設定する。例えば、サーバ２０は、ユーザの身体の動きの評価結果が良好でない程度に応じて、良好でないものに対応する悩みを解消し得るトレーニング項目を優先することとしてもよい。
【０２７２】
＜第４の実施の形態における画面例＞
図２１は、端末装置１０が、ユーザの身体の動作の測定結果および評価結果に基づいて、ユーザの身体に起こり得る悩みを提示し、当該悩みに対応するエクササイズメニューを提案する局面の画面例である。
【０２７３】
図２１（Ａ）は、端末装置１０が、ユーザの身体の動作の測定結果、評価結果に基づいて、ユーザの身体に起こり得る悩みを特定した結果を表示している。
【０２７４】
端末装置１０は、表示部１３２Ｐ７１において、ユーザに、毎日、端末装置１０を介して測定することを促す表示をしつつ、表示部１３２Ｐ７２において、ユーザの身体に将来起こり得る状態を表示する。図示する例では、操作受付部１３２Ｐ７３において、「首・肩こり」の悩みが起こり得ることを表示しつつ、当該操作受付部１３２Ｐ７３へのユーザの入力操作に応答して、「首・肩こり」の悩みに対応したトレーニングメニューを表示する。また、端末装置１０は、操作受付部１３２Ｐ７４において、「二の腕のたるみ」の悩みが起こり得ることを表示しつつ、当該操作受付部１３２Ｐ７４へのユーザの入力操作に応答して、「二の腕のたるみ」の悩みに対応したトレーニングメニューを表示する。また、端末装置１０は、操作受付部１３２Ｐ７５において、「内巻肩、頭が前に出た姿勢」の悩みが起こり得ることを表示しつつ、当該操作受付部１３２Ｐ７５へのユーザの入力操作に応答して、「内巻肩、頭が前に出た姿勢」の悩みに対応したトレーニングメニューを表示する。
【０２７５】
端末装置１０は、表示部１３２Ｐ７６において、時間がないユーザに向けて、ユーザに対し提案するトレーニングメニューの候補のうち、表示部１３２Ｐ７６に表示されるものよりも少ない数のトレーニングメニューを開始するための操作受付部１３２Ｐ７７を表示する。端末装置１０は、所定の規則に基づき、ユーザに提案するトレーニングメニューの候補に優先度等を設定して、表示部１３２Ｐ７６に表示する。
【０２７６】
端末装置１０は、表示部１３２Ｐ７８において、ユーザから、「お気に入り」など、実行したいトレーニングメニューを編集する操作を受け付ける。
【０２７７】
端末装置１０は、操作受付部１３２Ｐ９１への入力操作を受け付けることにより、ユーザに対してアンケートを提示し、当該アンケートへの回答を受け付ける。端末装置１０は、当該アンケートの入力結果に基づいて、ユーザの悩みを特定し、当該特定された悩みに対応するトレーニングメニューを提案することとしてもよい。
【０２７８】
図２１（Ｂ）は、ユーザに対し、おすすめのトレーニングメニューを提案する局面を示す。
【０２７９】
例えば、端末装置１０は、操作受付部１３２Ｐ７３への入力操作に応答して、表示部１３２Ｐ８２に示されるように、おすすめのトレーニングメニューによるトレーニングを開始するための操作受付部１３２Ｐ８３〜１３２Ｐ８７を表示する。端末装置１０は、これら操作受付部１３２Ｐ８３〜１３２Ｐ８７への入力操作に応答して、トレーニングを開始するための動画の再生等をすることとしてもよい。
【０２８０】
端末装置１０は、操作受付部１３２Ｐ７７への入力操作に応答して、表示部１３２Ｐ８８に示されるように、時間がないユーザに向けて、提案するトレーニングメニューの数を絞り込んだ状態で、操作受付部１３２Ｐ８３〜１３２Ｐ８５を表示する。
【０２８１】
これにより、ユーザの時々の状態に応じて、ユーザが継続してトレーニングをするよう促すことができる。
【０２８２】
＜付記＞
以上の各実施形態で説明した事項を以下に付記する。
【０２８３】
（付記１）
ユーザの身体の動きを測定するための測定システム（１）であって、制御部（１０、２０）と、ユーザの上半身および下半身を含む全身を測定するための測定部（３０）とを備え、制御部が、測定部に対し所定の位置関係となり（３２）、測定部による測定が可能な第１の位置（４１、４２、４３、４４）にユーザの両足が置かれていることを測定部により測定し（Ｓ８０１、Ｓ９０１）、第１の位置に両足を置いた状態から、第２の位置（４５）へとユーザが当該足を踏み出す動作を測定部により測定し（Ｓ８０３、Ｓ８０５、Ｓ８０７、Ｓ８０９）、第１の位置から第２の位置へとユーザが足を踏み出す動作の測定の結果に基づいて、ユーザの下半身の関節を含む関節の可動域を評価する（Ｓ８１１）、測定システム。
【０２８４】
（付記２）
第２の位置は、第１の位置から、ユーザの歩幅に関する情報に基づき規定される位置にある（３２、４５）、付記１に記載の測定システム。
【０２８５】
（付記３）
第１の位置に、ユーザの両足を置く初期位置となる模様を配置するように構成されている（４１、４２、４３、４４）、付記２に記載の測定システム。
【０２８６】
（付記４）
さらに、第１の位置となる模様を配したマット（３２）を備え、マットを、測定部に対し所定の位置関係に配置する（図６）、付記３に記載の測定システム。
【０２８７】
（付記５）
マットにおいて、第２の位置を示す模様を複数含み（４５）、第２の位置を示す模様それぞれは、複数のユーザの歩幅に関する情報と関連付けて配されている、付記４に記載の測定システム。
【０２８８】
（付記６）
ユーザの歩幅に関する情報は、身長の情報であり（４５）、マットにおいて、少なくとも、第１の身長の情報と、第２の身長の情報とが配されており、当該第１の身長の情報と関連付けて、当該第１の身長に対応する第２の位置の模様を配しており、当該第２の身長の情報と関連付けて、当該第２の身長に対応する第２の位置の模様を配している、付記５に記載の測定システム。
【０２８９】
（付記７）
制御部は、ユーザに対し、第１の位置に両足を置くよう促す通知をする（Ｓ８０１、Ｓ９０１、１３２Ｇ）、付記１から６に記載の測定システム。
【０２９０】
（付記８）
制御部は、ユーザが第１の位置に両足を置いたことを測定部により測定し（Ｓ８０１）、当該測定に応答して、ユーザに対し、第１の位置から第２の位置へとユーザの足を踏み出す動作をするよう促す通知をする（Ｓ８０３、Ｓ８０７、１３２Ｆ）、付記７に記載の測定システム。
【０２９１】
（付記９）
さらに、第１の位置と関連付けて配置される、少なくとも１つの立体物（３３）を備え、制御部は、ユーザに対し、第１の位置に両足を置いた状態で上半身をねじることで立体物にユーザの上肢で接触するよう促す通知をし（Ｓ９０５、Ｓ９０９）、上半身をねじる動作を測定部により測定し（Ｓ９０７、Ｓ９１１）、上半身をねじる動作の測定結果に基づいて、ユーザの関節可動域を評価する（Ｓ９１３）、付記１から８のいずれかに記載の測定システム。
【０２９２】
（付記１０）
ユーザの関節可動域の評価結果を、ユーザの情報と関連付けて記憶部に記憶させ（Ｓ８１１、Ｓ９１３、Ｓ７５３）、評価結果をユーザに通知する（１３２Ｆ）、付記１から９のいずれかに記載の測定システム。
【符号の説明】
【０２９３】
１０  端末装置、２０  サーバ、３０  測定ユニット、３１  測定装置、３２  マット、３３  ポール、１３２  ディスプレイ、１８１  ユーザ情報、１８２  測定項目情報、１８３  測定履歴情報、１８４  フレンドリスト、１８５  トレーニング項目情報、２８１  ユーザ情報データベース、２８２  測定項目情報、２８３  測定履歴データベース、２８４  フレンドリスト、２８５  トレーニング項目情報、２８７  測定結果データベース、２８８  評価結果データベース。
【要約】
【課題】ユーザの全身の各関節のしなやかさを評価するための技術を提供する。
【解決手段】、ユーザの身体の動きを測定するための測定システムであって、制御部と、ユーザの上半身および下半身を含む全身を測定するための測定部とを備え、制御部が、測定部に対し所定の位置関係となり、測定部による測定が可能な第１の位置にユーザの両足が置かれていることを測定部により測定し、第１の位置に両足を置いた状態から、第２の位置へとユーザが当該足を踏み出す動作を測定部により測定し、第１の位置から第２の位置へとユーザが足を踏み出す動作の測定の結果に基づいて、ユーザの下半身の関節の可動域を評価する。
【選択図】図１０【図１】
0006774582.tif 000002
【図２】
0006774582.tif 000003
【図３】
0006774582.tif 000004
【図４】
0006774582.tif 000005
【図５】
0006774582.tif 000006
【図６】
0006774582.tif 000007
【図７】
0006774582.tif 000008
【図８】
0006774582.tif 000009
【図９】
0006774582.tif 000010
【図１０】
0006774582.tif 000011
【図１１】
0006774582.tif 000012
【図１２】
0006774582.tif 000013
【図１３】
0006774582.tif 000014
【図１４】
0006774582.tif 000015
【図１５】
0006774582.tif 000016
【図１６】
0006774582.tif 000017
【図１７】
0006774582.tif 000018
【図１８】
0006774582.tif 000019
【図１９】
0006774582.tif 000020
【図２０】
0006774582.tif 000021
【図２１】
0006774582.tif 000022